(57)【特許請求の範囲】
【請求項１】
オーディオタイトルを構成する少なくとも１つのオーディオオブジェクトと、前記オーディオオブジェクトの再生を管理するオーディオタイトルセット情報とを格納するオーディオゾーン領域を備えた光ディスクであって、
前記オーディオオブジェクトは、符号化されたオーディオデータを含み、
前記オーディオタイトルセット情報は、前記オーディオオブジェクトの再生順序を示す複数の再生経路情報と、前記複数の再生経路情報のうち、前記オーディオタイトルの再生経路の一部において択一的に選択可能な２以上の再生経路情報をブロックとして定義するブロック情報とを含み、
前記ブロック情報は、前記ブロックに含まれる１つの再生経路情報が示す再生順序に従って再生される前記オーディオオブジェクトに含まれる前記符号化されたオーディオデータの符号化に関する音声属性と、前記ブロックに含まれる他の再生経路情報が示す再生順序に従って再生される前記オーディオオブジェクトに含まれる前記符号化されたオーディオデータの符号化に関する音声属性とが異なっていることを示し、前記ブロック情報は、前記再生経路情報が他のいずれかの再生経路情報とともに前記ブロックを形成するか否かを示すブロックモードと、前記ブロック内における前記符号化に関する音声属性の異なりの程度を示すブロックタイプとを有する、光ディスク。
【請求項２】
前記ブロックタイプは、音声コード化モードと音声チャンネル数と量子化ビット数とサンプリング周波数のうち少なくとも何れか１つが異なることを示す、請求項１に記載の光ディスク。
【請求項３】
請求項１に記載の光ディスクに格納されている情報を再生する再生装置であって、
前記オーディオオブジェクトを再生する再生部と、
前記再生部を制御する再生制御部とを備え、
前記再生制御部は、
前記オーディオタイトルセット情報のブロック情報を参照し、前記ブロック情報に基づいて、前記再生経路情報が択一的に選択可能な複数の再生経路情報のうちの１つか否かを判定し、前記符号化に関する音声属性に基づいて前記択一的に選択可能な複数の再生経路情報の中から１つを選択し、前記選択された再生経路情報が示す再生順序に従って前記オーディオオブジェクトを再生するように前記再生部を制御する構成であって、前記ブロック情報の前記ブロックモードが、前記選択された再生経路情報が他のいずれかの再生経路情報とともに前記ブロックを形成することを示す場合に、前記ブロック情報の前記ブロックタイプに基づいて、該ブロックが当該再生装置によって再生可能かを判定し、再生可能な場合に該ブロックの前記オーディオオブジェクトを再生する、再生装置。
【発明の詳細な説明】
【０００１】
【発明の属する技術分野】
本発明は互いに関連づけられた音声情報、動画情報から構成されるマルチメディアデータを、ディジタルデータとして格納する光ディスクとその再生装置、再生方法に関するものである。
【０００２】
【従来の技術】
従来、音声情報を格納し再生する光ディスクとしては、ＣＤ（ＣｏｍｐａｃｔＤｉｓｋ）やＤＶＤ−ＶＩＤＥＯが知られている。
【０００３】
ＣＤは、直径１２ｃｍの光学式ディスクである。ＣＤには、リニアＰＣＭ方式を用いて量子化された音声情報が格納されている。
【０００４】
ＤＶＤ−ＶＩＤＥＯは、直径１２ｃｍの光学式ディスクである。ＤＶＤ−ＶＩＤＥＯには、リニアＰＣＭ方式またはＡＣ３方式を用いて量子化された音声情報が格納されている。
【０００５】
近年、音声に関するデジタル処理技術の進歩により、上述した方式に加えて、様々な方式が提案されてきている。
【０００６】
【発明が解決しようとする課題】
しかしながら、アプリケーション制作者にとっては、いずれの方式による音声でディスクタイトルを制作するかを決定しなければならないという問題がある。また、ユーザにとっては、様々な方式に対応した再生装置を保有していなければ、再生を楽しめないディスクタイトルが存在するという問題がある。
【０００７】
本発明は、上記問題点に鑑み、再生装置の音声再生能力に見合った音声を再生することを可能にする光ディスク、その再生装置および再生方法を提供することを目的とする。
【０００９】
【課題を解決するための手段】
本発明の光ディスクは、オーディオタイトルを構成する少なくとも１つのオーディオオブジェクトと、前記オーディオオブジェクトの再生を管理するオーディオタイトルセット情報とを格納するオーディオゾーン領域を備えた光ディスクであって、前記オーディオオブジェクトは、符号化されたオーディオデータを含み、前記オーディオタイトルセット情報は、前記オーディオオブジェクトの再生順序を示す複数の再生経路情報と、前記複数の再生経路情報のうち、前記オーディオタイトルの再生経路の一部において択一的に選択可能な２以上の再生経路情報をブロックとして定義するブロック情報とを含み、前記ブロック情報は、前記ブロックに含まれる１つの再生経路情報が示す再生順序に従って再生される前記オーディオオブジェクトに含まれる前記符号化されたオーディオデータの符号化に関する音声属性と、前記ブロックに含まれる他の再生経路情報が示す再生順序に従って再生される前記オーディオオブジェクトに含まれる前記符号化されたオーディオデータの符号化に関する音声属性とが異なっていることを示し、前記ブロック情報は、前記再生経路情報が他のいずれかの再生経路情報とともに前記ブロックを形成するか否かを示すブロックモードと、前記ブロック内における前記符号化に関する音声属性の異なりの程度を示すブロックタイプとを有し、これにより上記目的が達成される。
【００１０】
前記ブロックタイプは、音声コード化モードと音声チャンネル数と量子化ビット数とサンプリング周波数のうち少なくとも何れか１つが異なることを示すものであってもよい。
また、本発明は、前記光ディスクに格納されている情報を再生する再生装置であって、前記オーディオオブジェクトを再生する再生部と、前記再生部を制御する再生制御部とを備え、前記再生制御部は、前記オーディオタイトルセット情報のブロック情報を参照し、前記ブロック情報に基づいて、前記再生経路情報が択一的に選択可能な複数の再生経路情報のうちの１つか否かを判定し、前記符号化に関する音声属性に基づいて前記択一的に選択可能な複数の再生経路情報の中から１つを選択し、前記選択された再生経路情報が示す再生順序に従って前記オーディオオブジェクトを再生するように前記再生部を制御する構成であって、前記ブロック情報の前記ブロックモードが、前記選択された再生経路情報が他のいずれかの再生経路情報とともに前記ブロックを形成することを示す場合に、前記ブロック情報の前記ブロックタイプに基づいて、該ブロックが当該再生装置によって再生可能かを判定し、再生可能な場合に該ブロックの前記オーディオオブジェクトを再生し、これにより上記目的が達成される。
【００１７】
【発明の実施の形態】
以下、図面を参照しながら本発明の実施の形態を説明する。
【００１８】
（実施の形態１）
以下、本発明の実施の形態の光ディスクの構造を説明する。
（１）光ディスクの物理構造
図１Ａは、光ディスクであるＤＶＤ１００の外観を示す図である。図１Ｂは、図１Ａに示される直線Ａ−Ａ'に沿ったＤＶＤ１００の断面図である。図１Ｃは、図１Ｂに示される部分Ｂの拡大図である。
【００１９】
ＤＶＤ１００は、図１Ｂに示されるように、第１の透明基板１０８、情報層１０９、接着層１１０、第２の透明基板１１１およびラベル印刷用の印刷層１１２をこの順に積層することにより形成される。
【００２０】
第１の透明基板１０８および第２の透明基板１１１は、同一材質の補強用基板である。図１Ｂに示される例では、これらの基板の厚さは約０．６ｍｍである。これらの基板の厚さは、大体０．５ｍｍ〜０．７ｍｍであればよい。
【００２１】
接着層１１０は、情報層１０９と第２の透明基板１１１とを接着するために情報層１０９と第２の透明基板１１１との間に設けられている。
【００２２】
情報層１０９の面のうち、第１の透明基板１０８と接する面には、金属薄膜等の反射膜（図示せず）が形成されている。この反射膜には成形技術により凹凸のピットが高密度に形成される。
【００２３】
図１Ｄは、反射膜に形成されたピットの形状を示す。図１Ｄに示される例では、各ピットの長さは０．４μｍ〜２．０５４μｍである。ＤＶＤ１００には１本のトラックが螺旋状に形成されている。各ピットは、ＤＶＤ１００の半径方向に０．７４μｍの間隔を有するように螺旋トラックに沿って形成される。このようにして、螺旋トラック上にピット列が形成される。
【００２４】
ＤＶＤ１００に光ビーム１１３が照射されると、図１Ｃに示されるように、情報層１０９の上に光スポット１１４が形成される。ＤＶＤ１００に格納された情報は、光スポット１１４によって照らされる情報層１１９の部分の反射率の変化として検出される。
【００２５】
ＤＶＤ１００における光スポット１１４の直径は、ＣＤ（Ｃｏｍｐａｃｔ  Ｄｉｓｋ）における光スポットの直径の約１／１．６である。ＤＶＤ用の対物レンズの開口数ＮＡは、ＣＤ用の対物レンズの開口数ＮＡより大きく、ＤＶＤ用の光ビームの波長λは、ＣＤ用の光ビームの波長λより小さいからである。
【００２６】
このような物理構造を有するＤＶＤは、片面に約４．７Ｇバイトの情報を格納することができる。約４．７Ｇバイトの格納容量は、従来のＣＤの格納容量の８倍に近い。このようなＤＶＤの大格納容量により、動画の画質を大幅に向上させることが可能である。また、動画の再生時間を大幅に向上させることも可能である。従来のビデオＣＤの再生時間が７４分であるのに対し、ＤＶＤの再生時間は、２時間以上である。
【００２７】
このような大格納容量を実現させた基盤技術は、光ビームのスポット径Ｄの小型化である。スポット径Ｄは、スポット径Ｄ＝レーザの波長λ／対物レンズの開口数ＮＡの計算式で与えられる。従って、レーザの波長λを小さくし、対物レンズの開口数ＮＡを大きくすることにより、スポット径Ｄを小さく絞り込むことができる。ここで、留意すべきは、対物レンズの開口数ＮＡを大きくすると、ディスク面と光ビームの光軸の相対的な傾き（すなわち、チルト）によりコマ収差が生じる点である。ＤＶＤでは、透明基板の厚さを薄くすることによりコマ収差を低減している。透明基板の厚さを薄くすると、ディスクの機械的強度が弱くなるという別の問題点が発生し得る。ＤＶＤでは、透明基板に別の基板を貼り合わせることにより透明基板の強度を補強している。これにより、ディスクの機械的強度に関する問題点を克服している。
【００２８】
ＤＶＤに格納された情報を読み出すために、６５０ｎｍという短い波長を有する赤色半導体レーザと約０．６ｍｍという大きい開口数（ＮＡ）を有する対物レンズとが使用される。このことに加えて、さらに、約０．６ｍｍという薄い透明基板を使用することにより、直径１２０ｍｍの光ディスクの片面に約４．７Ｇバイトの情報を格納することが可能になったのである。
【００２９】
図２Ａは、ＤＶＤ１００の情報層１０９の内周から外周にかけて、螺旋トラック２０が形成されている様子を模式的に示す。螺旋トラック２０は、セクタと呼ばれる所定の単位に分割されている。図２Ａでは、セクタは、Ｓ１、Ｓ２、・・・、Ｓ９９、Ｓ１００などの記号によって示されている。ＤＶＤ１００に格納された情報の読み出しは、セクタ単位に行われる。
【００３０】
図２Ｂは、セクタの内部構造を示す。セクタは、セクタヘッダ領域２１と、ユーザデータ領域２２と、誤り訂正コード格納領域２３とを含む。
【００３１】
セクタヘッダ領域２１には、セクタを識別するためのセクタアドレスとその誤り検出コードとが格納される。ディスク再生装置は、セクタアドレスに基づいて複数のセクタのうちどのセクタから情報を読み出すべきかを決定する。
【００３２】
ユーザデータ領域２２には、２ＫＢｙｔｅ長のデータが格納される。
【００３３】
誤り訂正コード格納領域２３には、同一セクタに含まれるセクタヘッダ領域２１とユーザデータ領域２２とに対する誤り訂正コードが格納される。ディスク再生装置は、ユーザデータ領域２２からデータを読み出す際に、誤り訂正コードを用いて誤り検出を行い、誤り検出の結果に応じて誤り訂正を行う。これにより、データ読み出しの信頼性を保証する。
【００３４】
（２）光ディスクの論理構造
図３は、光ディスクであるＤＶＤ１００の論理構造を示す。図３に示されるように、ＤＶＤ１００の領域は、リードイン領域３１と、ボリューム領域３２と、リードアウト領域３３とに分割されている。これらの領域は、物理セクタのセクタアドレスに含まれる識別情報によって識別され得る。物理セクタは、セクタアドレスにより昇順に配置される。
【００３５】
リードイン領域３１には、ディスク再生装置の読み出し開始時の動作を安定させるためのデータなどが格納される。
【００３６】
リードアウト領域３３には、意味のあるデータは格納されていない。リードアウト領域３３は、ディスク再生装置に再生終了を知らせるために使用される。
【００３７】
ボリューム領域３２には、アプリケーションに対応するデジタルデータが格納される。ボリューム領域３２に含まれる物理セクタは、論理ブロックとして管理される。論理ブロックは、ボリューム領域３２の先頭の物理セクタを０番として、０番の物理セクタに続く物理セクタに連続する番号（論理ブロック番号）を付与することによって識別される。図３に示される部分３４は、ボリューム領域３２における論理ブロック群を示す。部分３４において、＃ｍ，＃ｍ＋１，＃ｍ＋２，＃ｍ＋３，・・・は、論理ブロックに付された論理ブロック番号を示す。
【００３８】
図３に示されるように、ボリューム領域３２は、ボリューム・ファイル管理領域３２ａと、ビデオゾーン領域３２ｂと、オーディオゾーン領域３２ｃとにさらに分割される。
【００３９】
ボリューム・ファイル管理領域３２ａには、ＩＳＯ１３３４６に従って、複数の論理ブロックをファイルとして管理するためのファイルシステム管理情報が格納される。ファイルシステム管理情報とは、複数のファイルのそれぞれのファイル名と、各ファイルが占めている論理ブロック群のアドレスとの対応づけを示す情報である。ディスク再生装置は、ファイルシステム管理情報に基づいてファイル単位で光ディスクにアクセスすることを実現する。具体的には、ディスク再生装置は、ファイルシステム管理情報を参照することにより、与えられたファイル名に対応する論理ブロック群のアドレスを取得し、このアドレスに基づいて論理ブロック群をアクセスする。これにより、所望のファイルのデジタルデータを読み出すことができる。
【００４０】
ビデオゾーン領域３２ｂには、ビデオマネージャ情報７００と１つ以上のビデオタイトルセット６００とが格納される。
【００４１】
ビデオタイトルセット６００は、複数の映像データとその再生順序を管理する管理情報とを含む。ビデオタイトルセット６００は、ビデオタイトルと称される単位で映像データを管理するためのデータ構造を有している。例えば、ビデオタイトルセット６００が映画アプリケーションである場合には、各ビデオタイトルは、劇場公開版、ノーカット版等の複数の映像バージョンに対応する。ビデオタイトルセット６００の詳細なデータ構造は、図６を参照して後述される。
【００４２】
ビデオマネージャ情報７００は、複数のビデオタイトルセット６００の目次を示す情報を含む。典型的には、ビデオマネージャ情報７００は、複数のビデオタイトルセット６００のうちユーザが所望する１つを選択するための映像メニューを表示するための情報とその管理情報とを含む。ビデオマネージャ情報７００の詳細なデータ構造は、図７を参照して後述される。
【００４３】
オーディオゾーン領域３２ｃには、オーディオマネージャ情報９００と１つ以上のオーディオタイトルセット８００とが格納される。
【００４４】
オーディオタイトルセット８００は、複数の音声データとその再生順序を管理する管理情報とを含む。オーディオタイトルセット８００は、オーディオタイトルと称される単位で音声データを管理するためのデータ構造を有している。典型的には、オーディオタイトルは、１つ以上の曲を収録する音楽アルバムに対応する。なお、オーディオタイトルセット８００には、ビデオタイトルセット６００に含まれる映像データの再生順序を規定する管理情報が含まれ得る。オーディオタイトルセット８００の詳細なデータ構造は、図８Ａおよび図８Ｂを参照して後述される。
【００４５】
オーディオマネージャ情報９００は、複数のオーディオタイトルセット８００の目次を示す情報を含む。オーディオマネージャ情報９００の詳細なデータ構造は、図９を参照して後述される。
【００４６】
なお、図３では、ビデオタイトルセット６００とオーディオタイトルセット８００とは、いずれも１つのファイルのように示されている。しかし、実際には、これらは複数の連続するファイルから構成されることがほとんどである。動画データのデータサイズは膨大であるため、動画データを１つのファイルに格納しようとすると、そのファイルサイズが１ＧＢを越えてしまうからである。
【００４７】
（３）ビデオゾーン領域３２ｂ（図３）のデータ構造
ビデオゾーン領域３２ｂには、ビデオマネージャ情報７００と１つ以上のビデオタイトルセット６００とが格納される。
【００４８】
（３．１）ビデオタイトルセット６００のデータ構造
図４は、ビデオタイトルセット６００のデータ構造を示す。ビデオタイトルセット６００は、複数のビデオオブジェクト（以下、ＶＯＢという）６０２と、複数のＶＯＢ６０２の再生順序を管理するビデオタイトルセット情報６０１とを含む。なお、以下の説明では、ビデオタイトルセットは、ＶＴＳと略称されることがある。
【００４９】
（３．１．１）ＶＯＢ６０２のデータ構造
ＶＯＢ６０２は、マルチメディア化されたデータである。ＶＯＢ６０２は、デジタル動画データとデジタル音声データと副映像データとこれらの管理情報とを含む。
【００５０】
ＶＯＢ６０２は、ＭＰＥＧ２（Ｍｏｖｉｎｇ  Ｐｉｃｔｕｒｅ  ＥｘｐｅｒｔＧｒｏｕｐ、ＩＳＯ１１１７２、ＩＳＯ１３８１８）に準拠したデータ構造を有し、ＭＰＥＧ２ストリームデータと称される。ＶＯＢ６０２は、時系列順に配列された複数のＶＯＢユニット（以下、ＶＯＢＵという）６０３を含む。ＶＯＢＵ６０３は、約０．４秒〜約１．０秒程度の再生データであり、図４の矢印の先に示されるように、管理情報パック、動画パック、オーディオパック、副映像パックといった、複数の種類のパックデータ６０４を含む。図４に示される例では、管理情報パックは、Ｐ１，Ｐ２という記号で表され、動画パックは、ｖｉｄｅｏ  １，ｖｉｄｅｏ  ２，ｖｉｄｅｏ  ３，ｖｉｄｅｏ  ４という記号で表され、オーディオパックは、ａｕｄｉｏ  Ａ−１，ａｕｄｉｏ  Ｂ−１，ａｕｄｉｏＣ−１，ａｕｄｉｏ  Ａ−２，ａｕｄｉｏ  Ｂ−２，ａｕｄｉｏ  Ｃ−２という記号で表され、副映像パックは、ＳＰ  Ａ−１，ＳＰ  Ｂ−１，ＳＰ  Ａ−２，ＳＰ  Ｂ−２という記号で表される。
【００５１】
パックデータはそれぞれ２ＫＢｙｔｅのデータサイズを有している。複数のパックデータをその種類ごとに再統合することにより、動画データのみを含むデジタルデータ列、音声データのみを含むデジタルデータ列、副映像データのみを含むデジタルデータ列、制御データのみを含むデジタルデータ列がそれぞれ得られる。このように、複数のパックデータを種類ごとに再統合することにより得られるデジタルデータ列をエレメンタリストリームと称する。
【００５２】
ＶＯＢ６０２は、複数のエレメンタリストリームを含むプログラムストリーム、あるいはシステムストリームと称されることもある。１つのＶＯＢ６０２は、動画エレメンタリストリームを１本、音声エレメンタリストリームを最大８本、副映像エレメンタリストリームを最大３２本有することが可能である。なお、動画エレメンタリストリームをシステムストリームのメインストリームと称し、音声エレメンタリストリームおよび副映像エレメンタリストリームをシステムストリームのサブストリームと称する場合もある。
【００５３】
パックデータは、ヘッダ部とデータ部とを含む。パックデータのヘッダ部には、パックデータの種類を示す識別情報が格納される。その識別情報を参照することにより、パックデータが『動画パック』であるか、『音声パック』であるか、『副映像パック』であるか、『管理情報パック』であるかを識別することができる。
【００５４】
動画パックのデータ部には、ＭＰＥＧ方式で圧縮されたデータが格納される。１つのＶＯＢＵ６０３には、約１２〜１５フレーム分の画像データであるＧＯＰ（Ｇｒｏｕｐ  Ｏｆ  Ｐｉｃｔｕｒｅ）単位で動画データが格納されることになる。
【００５５】
音声パックのデータ部には、音声パックが含まれるＶＯＢＵ６０３の動画データに対応する音声データが格納される。同一のＶＯＢＵ６０３に含まれる動画データと音声データとは同期再生される。音声データの種類としては、４８ｋＨｚの周波数でサンプリングされたリニアＰＣＭあるいはＤｏｌｂｙ−ＡＣ３がある（Ｄｏｌｂｙ−ＡＣ３については、ＡＴＳＣ  ｓｔａｎｄａｒｄ  Ｄｉｇｉｔａｌ  ａｕｄｉｏ  Ｃｏｍｐｒｅｓｓｉｏｎ（ＡＣ−３）（Ｄｏｃ．Ａ／５２，２０  Ｄｅｃ，１９９５）を参照）。音声パックのヘッダ部には、最大８本の音声サブストリームのうちいずれの音声サブストリームに属するかを示す音声サブストリーム識別情報がさらに格納される。
【００５６】
副映像パックのデータ部には、ランレングス圧縮されたグラフィックスデータが格納される。副映像パックのヘッダ部には、最大３２本の副映像サブストリームのうちいずれの副映像サブストリームに属するかを示す副映像サブストリーム識別情報がさらに格納される。
【００５７】
管理情報パックのデータ部には、早送り等の特殊再生用のアドレス情報や、ユーザインタラクション受付用の制御データが格納される。ユーザインタラクションの受付用の制御データとしては、例えば、メニューを表示するためのメニュー情報がある。メニュー情報は、最大３２個のメニュー項目の位置を示す情報と、メニュー項目の色を示す情報と、ユーザによってメニュー項目の１つが選択された際に実行すべき制御コマンドを示す情報とを含む。
【００５８】
図５は、メニューの例を示す。図５に示される例では、メニュー５０は、次に再生すべき情報を示す８個のメニュー項目５１〜５８を有している。メニュー情報は、８個のメニュー項目５１〜５８のそれぞれについて、メニュー項目の位置、メニュー項目の色、メニュー項目が選択された際に実行すべき制御コマンドを定義する。８個のメニュー項目５１〜５８のうちの１つがユーザによって選択される。
【００５９】
なお、メニューを表示するためのグラフィックスデータは、副映像パックに格納されている。ユーザが複数のメニュー項目のうちの１つを選択し、又は、ユーザがその選択されたメニュー項目を確定すると、管理情報パックの位置情報と色情報に従って、選択されたメニュー項目に対応するグラフィックスの色が変更される。
【００６０】
ユーザが選択されたメニュー項目を確定すると、そのメニュー項目に対応する制御コマンドが実行される。このようにして、ユーザからの指示に従って分岐再生制御が実行される。
【００６１】
なお、説明を簡易にするために、図４に示される例では、ＶＯＢＵ６０３に含まれるパックデータは、一定の規則性をもって配置されている。しかし、管理情報パックがＶＯＢＵ６０３の先頭に配置されることを除いて、各パックデータの配置が規則性を有している必要はない。例えば、各パックデータは、パックデータの種類ごとに配置される必要はなく、パックデータの種類が混在するように配置されてもよい。これは、ディスク再生装置がパックデータをいったんバッファ部にバッファリングした後に、そのバッファ部からパックデータを読み出すからである。また、ＶＯＢＵ６０３に含まれるパックデータの総数や、パックデータの種類ごとのパックデータの数も、一定である必要はない。動画データや音声データ、副映像データは可変長の圧縮データであり得るからである。実際には、各ＶＯＢＵ６０３は、異なる数のパックデータを含む。
【００６２】
また、図４に示される例では、ＶＯＢＵ６０３に含まれる動画パックの数は２個である。しかし、実際には、ＶＯＢＵ６０３に含まれる動画パックの数は数百個になり得る。これは、ディスク再生装置への動画データの転送レートが約４．５Ｍｂｉｔであるからである。
【００６３】
（３．１．２）ビデオタイトルセット情報６０１のデータ構造
ビデオタイトルセット情報６０１は、ＶＯＢ６０２の再生順序を管理する情報を含む。ここでは、ＶＯＢ６０２の再生順序を指定するデータをプログラムチェーン（ＰＧＣ）と称する。異なるＰＧＣによって、ＶＯＢ６０２の異なる再生順序が規定され得る。
【００６４】
図６は、ビデオタイトルセット情報６０１のデータ構造を示す。図６に示されるように、ビデオタイトルセット情報（ＶＴＳＩ）６０１は、ＶＴＳ管理テーブル（ＶＴＳＩ＿ＭＡＴ）６１１と、ビデオタイトルセット部タイトルサーチポインタテーブル（ＴＴ＿ＳＲＰＴ）６１２と、ＰＧＣ管理情報テーブル（ＰＧＣＩＴ）６１３とを含む。
【００６５】
ＶＴＳ管理テーブル６１１は、ビデオタイトルセット情報６０１のヘッダ情報である。ＶＴＳ管理テーブル６１１は、ビデオタイトルセット部タイトルサーチポインタテーブル６１２の格納位置を示すポインタと、ＰＧＣ管理情報テーブル６１３の格納位置を示すポインタとを含む。
【００６６】
ビデオタイトルセット部タイトルサーチポインタテーブル６１２は、ポインタ数６２１と、複数の開始ＰＧＣ番号６２２とを含む。開始ＰＧＣ番号６２２は、ＰＧＣ管理情報テーブル６１３に格納される複数のＰＧＣ情報６３１のうち、最初に実行されるべきＰＧＣ情報６３１を示すインデックスである。開始ＰＧＣ番号６２２は、タイトルごとに指定されている。例えば、タイトル＃１に対応する開始ＰＧＣ番号６２２の値が「３」であることは、タイトル＃１に対してＰＧＣ情報＃３が最初に実行されることを意味する。
【００６７】
ＰＧＣ管理情報テーブル６１３は、複数のＰＧＣ情報６３１（ＰＧＣ情報＃１〜ＰＧＣ情報＃ｎ）を含む。ＰＧＣ情報６３１は、１つ以上のＶＯＢ６０２のディスク上の格納位置とその再生順序とを定義する。異なるＰＧＣ情報６３１により同一のＶＯＢ６０２の再生を記述することも可能である。このため、同一のＶＯＢ６０２に対して複数の再生順序を指定することが可能になる。例えば、ＰＧＣ情報６３１がＶＯＢ＃１、ＶＯＢ＃２、ＶＯＢ＃３、ＶＯＢ＃４の順序でＶＯＢ６０２を再生することを定義している場合には、ＶＯＢ６０２はＶＯＢ＃１、ＶＯＢ＃２、ＶＯＢ＃３、ＶＯＢ＃４の順序で再生される。また、ＰＧＣ情報６３１がＶＯＢ＃３、ＶＯＢ＃２、ＶＯＢ＃１、ＶＯＢ＃４の順序でＶＯＢ６０２を再生することを定義している場合には、ＶＯＢ６０２はＶＯＢ＃３、ＶＯＢ＃２、ＶＯＢ＃１、ＶＯＢ＃４の順序で再生される。
【００６８】
ＰＧＣ情報６３１は、ＰＧＣ連結情報６４１と、１つ以上のＶＯＢアドレス６４２とを含む。
【００６９】
ＰＧＣ連結情報６４１には、ＰＧＣ情報６３１の前後に連結されるＰＧＣ情報６３１のインデックスが格納されている。例えば、ＰＧＣ情報＃３のＰＧＣ連結情報６４１には、ＰＧＣ情報＃３の前に連結されるＰＧＣ情報６３１（例えば、ＰＧＣ情報＃１）のインデックスと、ＰＧＣ情報＃３の後に連結されるＰＧＣ情報６３１（例えば、ＰＧＣ情報＃５）のインデックスとが格納される。ディスク再生装置は、１つのＰＧＣ情報６３１による再生が完了すると、ＰＧＣ連結情報６４１に従って次のＰＧＣ情報６３１を決定し、次のＰＧＣ情報６３１に従って再生制御を継続する。
【００７０】
ＶＯＢアドレス６４２は、再生されるＶＯＢ６０２の光ディスク上での位置を示す情報である。また、ＰＧＣ情報６３１におけるＶＯＢアドレス６４２の順序は、ディスク再生装置により再生される順序を示す。
【００７１】
（３．２）ビデオマネージャ情報７００のデータ構造
ビデオマネージャ情報７００は、光ディスクがディスク再生装置により映像主体で再生される際に最初に参照される再生制御のための情報である。
【００７２】
図７は、ビデオマネージャ情報７００のデータ構造を示す。
【００７３】
ビデオマネージャ情報７００のデータ構造は、図６に示されるビデオタイトルセット６００のデータ構造に準拠している。ビデオマネージャ情報７００のＶＯＢとビデオタイトルセット６００のＶＯＢとの相違点は、ビデオマネージャ情報７００のＶＯＢがボリュームメニュー用に特化されている点である。
【００７４】
ここで、ボリュームメニューとは、光ディスクに収録された全てのタイトルを一覧表示させ、ユーザに何れか１つのタイトルを選択させるためのメニューである。ボリュームメニューは、光ディスクがディスク再生装置に装填された後、光ピックアップが光ディスクのボリューム・フィイル管理領域３２ａからビデオゾーン領域３２ｂに移動した直後に画面上に表示される。
【００７５】
図７に示されるように、ビデオマネージャ情報（ＶＭＧＩ）７００  は、メニュー用ビデオオブジェクト７０３と、メニュー用ＰＧＣ管理情報テーブル（ＰＧＣＩＴ）７０１と、タイトルサーチポインタテーブル（ＴＴ＿ＳＲＰＴ）７０２とを含む。
【００７６】
メニュー用ビデオオブジェクト７０３は、その名称通り、ボリュームメニュー用に特化されたＶＯＢである。メニュー用ビデオオブジェクト７０３は、ボリュームメニューを表示するための副映像パックと、ボリュームメニューに対するカーソル操作や確定操作に応じた再生制御を行うための管理情報パックとを含んでいる。
【００７７】
メニュー用ＰＧＣ管理情報テーブル７０１は、ボリュームメニュー用に特化されたＰＧＣ情報である。メニュー用ＰＧＣ管理情報テーブル７０１には、光ディスクがディスク再生装置に装填された時にメニュー用ビデオオブジェクト７０３が読み出されるように、メニュー用ビデオオブジェクト７０３の格納位置が記述されている。このＰＧＣ情報は、光ディスクがディスク再生装置に装填された後に、光ピックアップがボリューム・ファイル管理領域３２ａからビデオゾーン領域３２ｂに移動した直後にディスク再生装置によって読み出される。これにより、ボリュームメニューが画面上に表示される。
【００７８】
タイトルサーチポインタテーブル７０２は、各タイトルが所属するビデオタイトルセットの番号（すなわち、ＶＴＳ番号７２１）とビデオタイトルセット内において各タイトルに付されたタイトル番号（すなわち、ＶＴＳ内タイトル番号７２２）を特定するためのインデックス７１２を含む。
【００７９】
（４）オーディオゾーン領域３２ｃのデータ構造
オーディオゾーン領域３２ｃには、オーディオマネージャ情報９００と１つ以上のオーディオタイトルセット８００とが格納される。
【００８０】
（４．１）オーディオタイトルセット８００のデータ構造
図８Ａは、オーディオタイトルセット８００のデータ構造を示す。オーディオタイトルセット８００は、複数のオーディオオブジェクト（以下、ＡＯＢという）８０２と、複数のＡＯＢ８０２の再生順序を管理するオーディオタイトルセット情報（ＡＴＳＩ）８０１と、オーディオタイトルセット情報８０１のバックアップデータであるオーディオタイトルセット情報バックアップ（ＡＴＳＩ＿ＢＵＰ）８０４とを含む。なお、以下の説明では、オーディオタイトルセットは、ＡＴＳと略称されることがある。
【００８１】
（４．１．１）ＡＯＢ８０２のデータ構造
ＡＯＢ８０２は、２ＫＢｙｔｅでパケット化されている。ＡＯＢ８０２には、ＬＰＣＭ、ＡＣ３、ＭＰＥＧオーディオ、ＤＴＳあるいはＳＤＤＳの形式のデータが格納される（ＭＰＥＧオーディオについては、ＩＳＯ／ＩＥＣ  ＤＩＳ  １３８１８−３：Ｊｕｌｙ，  １９９６を参照。ＤＴＳについては、ＤＴＳ  Ｃｏｈｅｒｅｎｔ  Ａｃｏｕｓｔｉｃｓ  ”Ｄｅｌｉｖｅｒｉｎｇ  ｈｉｇｈ  ｑｕａｌｉｔｙ  ｍｕｌｔｉｃｈａｎｎｅｌ  ｓｏｕｎｄ  ｔｏ  ｔｈｅ  ｃｏｎｓｕｍｅｒ”  Ｐｒｅｓｅｎｔｅｄ  ａｔ  ｔｈｅ  １００ｔｈ  Ｃｏｎｖｅｎｔｉｏｎ  １９９６  Ｍａｙ  １１−１４  Ｃｏｐｅｎｈａｇｅｎ  ＡＥＳを参照。ＳＤＤＳについては、ＳＤＤＳ  Ｓｐｅｃｉｆｉｃａｔｉｏｎ  ｆｏｒ  Ｄｉｓｃ（Ｖｅｒｓｉｏｎ  １．０）−Ｄｉｇｉｔａｌ  ａｕｄｉｏ  ｍｕｌｔｉ−ｃｈａｎｎｅｌ  ｃｏｄｉｎｇ  Ｓｏｎｙ  Ｃｏｒｐｏｒａｔｉｏｎを参照）。ＬＰＣＭの場合には、サンプルビットが１６、２０、２４ビットのいずれかであり、サンプリング周波数が４８ｋＨｚ、９６ｋＨｚ、１９２ｋＨｚ、４４．１ｋＨｚ、８８．２ｋＨｚ、１７６．４ｋＨｚのいずれかである。
【００８２】
（４．１．２）  オーディオタイトルセット情報８０１のデータ構造
オーディオタイトルセット情報８０１は、ＡＯＢ８０２の再生順序を管理する情報を含む。ＡＯＢ８０２の再生順序の指定は、ＶＯＢ６０２と同様にプログラムチェーン（ＰＧＣ）によって行われる。異なるＰＧＣによって、ＡＯＢ８０２の異なる再生順序が規定され得る。
【００８３】
図８Ａに示されるように、オーディオタイトルセット情報（ＡＴＳＩ）８０１は、ＡＴＳ管理テーブル（ＡＴＳＩ＿ＭＡＴ）８１１と、ＡＴＳプログラムチェーン情報テーブル（ＡＴＳ＿ＰＧＣＩＴ）８１２とを含む。
【００８４】
ＡＴＳ管理テーブル８１１は、オーディオタイトルセット情報８０１のヘッダ情報である。ＡＴＳ管理テーブル８１１には、ＡＴＳプログラムチェーン情報テーブル８１２の格納領域を示すポインタとＡＯＢ８０２の格納領域を示すポインタとが格納されている。
【００８５】
ＡＴＳ管理テーブル８１１は、ＡＴＳ識別子（ＡＴＳＩ＿ＩＤ）８２１と、ＡＴＳアドレス情報８２２と、ＡＴＳバージョン番号８２３と、オーディオ属性（ＡＯＴＴ＿ＡＯＢ＿ＡＴＲ）８２４と、ダウンミックス係数８２５とを含む。
【００８６】
ＡＴＳ識別子８２１には、ＡＴＳであることを示す文字列が格納されている。
【００８７】
ＡＴＳアドレス情報８２２については、後述される。
【００８８】
ＡＴＳバージョン番号８２３には、オーディオタイトルセット情報８０１のデータ構造を定める規約のバージョン番号が格納される。
【００８９】
オーディオ属性８２４には、８種類のオーディオストリームの属性が格納される。１つのオーディオストリームタイトルセット８００に含まれる各ＡＯＢ８０２は８種類のオーディオストリームの属性のうちのいずれか１つに従って再生されることになる。オーディオ属性８２４は、音声コード化モード８４１と量子化ビット数８４２とサンプリング周波数８４３とマルチＣＨ属性８４４とを含む。
【００９０】
音声コード化モード８４１にはＬＰＣＭまたは圧縮方式のいずれかを示すコードが記述される。量子化ビット数８４２には、１６ビット、２０ビット、２４ビットのいずれかを示すコードが記述される。サンプリング周波数８４３には、４８ｋＨｚ、９６ｋＨｚ、１９２ｋＨｚ、４４．１ｋＨｚ、８８．２ｋＨｚ、１７６．４ｋＨｚのいずれかを示すコードが記述される。マルチＣＨ属性８４４には、マルチＣＨの場合の各チャンネルの使用方法などを示すコードが記述される。なお、オーディオ属性８２４のうち使用されないフィールドには値「０」が格納される。
【００９１】
ダウンミックス係数８２５には、マルチチャンネルの各チャンネルを２ＣＨにダウンミックスする際に使用される１６種類の係数が格納される。後述されるプログラムチェーン情報（ＡＴＳ＿ＰＧＣＩ）８３３のＡＴＳプログラム情報（ＡＴＳ＿ＰＧＩ）８６２から、ダウンミックス係数８２５に格納される１６種類の係数のうちの１つが選択的に参照される。このようにして、プログラム単位でダウンミックス係数を変更することができる。
【００９２】
図８Ａに示されるように、ＡＴＳプログラムチェーン情報テーブル８１２は、ＡＴＳプログラムチェーン情報テーブル情報（ＡＴＳ＿ＰＧＣＩＴＩ）８３１と、複数のＡＴＳプログラムチェーン情報サーチポインタ（ＡＴＳ＿ＰＧＣＩ＿ＳＲＰ）８３２と、複数のＡＴＳプログラムチェーン情報（ＡＴＳ＿ＰＧＣＩ）８３３とを含む。
【００９３】
ＡＴＳプログラムチェーン情報テーブル情報８３１には、ＡＴＳプログラムチェーン情報サーチポインタ８３２の数とＡＴＳプログラムチェーン情報テーブル８１２の最終アドレスとが記述される。ＡＴＳプログラムチェーン情報テーブル情報８３１は、ＡＴＳプログラムチェーン情報サーチポインタ８３２の検索を助けるために使用される。
【００９４】
ＡＴＳプログラムチェーン情報サーチポインタ８３２は、ＡＴＳ内のタイトル番号やＰＧＣの属性を記述するＡＴＳ＿ＰＧＣカテゴリ（ＡＴＳ＿ＰＧＣ＿ＣＡＴ）８５１と、ＡＴＳプログラムチェーン情報の格納位置を示すＡＴＳ＿ＰＧＣ開始アドレス（ＡＴＳ＿ＰＧＣＩ＿ＳＡ）８５２とを含む。
【００９５】
ＡＴＳプログラムチェーン情報８３３は、このプログラムチェーンの再生時間やアドレス情報を有するＡＴＳ＿ＰＧＣ一般情報（ＡＴＳ＿ＰＧＣ＿ＧＩ）８６１と、ＡＯＢ８０２の再生の最小単位であるセルのアドレスや属性を有する複数のＡＴＳセル再生情報（ＡＴＳ＿Ｃ＿ＰＢＩ）８６３と、複数のＡＴＳプログラム情報（ＡＴＳ＿ＰＧＩ）８６２とを含む。
【００９６】
複数のＡＴＳプログラム情報８６２のそれぞれは、ストリーム番号８８１と、マルチチャンネルから２チャンネルにダウンミックスする際に使用されるダウンミックス係数の番号（すなわち、ＡＴＳ管理テーブル８１１のダウンミックス係数８２５に含まれる１６種類の係数の１つへのインデックス）を示すダウンミックス係数番号８８２と、プログラムに含まれる複数のＡＴＳセルのうち最初に再生されるべきＡＴＳセルの番号を示すエントリーセル番号（ＡＴＳ＿ＰＧ＿ＥＮ＿ＣＮ）８８３と、プログラムの再生時間であるＰＧ再生時間（ＡＴＳ＿ＰＧ＿ＰＢ＿ＴＭ）８８４とを含む。
【００９７】
ストリーム番号８８１は、ＡＴＳ管理情報テーブル８１１のオーディオ属性８２４によって定義される８種類のオーディオストリーム属性のうちの１つを特定する番号である。オーディオストリームは、ストリーム番号８８１によって特定されるオーディオストリーム属性に従って再生される。このようにして、プログラムごとに異なるオーディオ属性に従ってオーディオストリームを再生することができる。
【００９８】
このように、ＡＴＳプログラムチェーン情報８３３は、１つ以上のＡＯＢ８０２のディスク上の格納位置とその再生順序とを記述している。異なるＡＴＳプログラムチェーン情報８３３により同一のＡＯＢ８０２の再生を記述することも可能である。このため、同一のＡＯＢ８０２に対して複数の再生順序を指定することが可能になる。例えば、ＡＴＳプログラムチェーン情報８３３がＡＯＢ＃１、ＡＯＢ＃２、ＡＯＢ＃３、ＡＯＢ＃４の順序でＡＯＢ８０２を再生することを定義している場合には、ＡＯＢ８０２は、ＡＯＢ＃１、ＡＯＢ＃２、ＡＯＢ＃３、ＡＯＢ＃４の順序で再生される。ＡＴＳプログラムチェーン情報８３３がＡＯＢ＃３、ＡＯＢ＃２、ＡＯＢ＃１、ＡＯＢ＃４の順序でＡＯＢ８０２を再生することを定義している場合には、ＡＯＢ８０２はＡＯＢ＃３、ＡＯＢ＃２、ＡＯＢ＃１、ＡＯＢ＃４の順序で再生される。
【００９９】
なお、オーディオタイトルセット８００には、ＡＯＢ８０２をポイントするタイプ（ＡＯＢポイントタイプ）のものと、ＡＯＢ８０２の代わりにＶＯＢ６０２をポイントするタイプ（ＶＯＢポイントタイプ）のものがある。図８Ａに示されるデータ構造は、ＡＯＢポイントタイプのオーディオタイトルセット８００のデータ構造である。
【０１００】
図８Ｂは、ＶＯＢポイントタイプのオーディオタイトルセット８００のデータ構造を示す。図８Ｂに示されるデータ構造は、オーディオタイトルセット８００が複数のＡＯＢ８０２を有していないことを除いて、図８Ａに示されるデータ構造と同一である。ただし、各属性情報にはＶＯＢ６０２に特有の記述が含まれる。
【０１０１】
具体的には、ＡＴＳ管理テーブル８１１のＡＴＳアドレス情報８２２には、ＶＯＢ６０２が属するＶＴＳ６００のアドレス情報とＶＯＢ６０２のアドレス情報とが記述される。ＡＴＳ管理テーブル８１１のオーディオ属性８２４には、ＶＯＢ６０２で定義されるオーディオ属性が記述されると共に、ＶＴＳ６００に含まれるサブストリームのうち再生するサブストリームを特定するストリームＩＤ８４５の記述が追加される。オーディオ属性８２４のサンプリング周波数８４３は、４８ｋＨｚまたは９６ｋＨｚのいずれかに制限される。音声コード化モード８４１には、ＬＰＣＭ、ＡＣ３、ＭＰＥＧオーディオ、ＤＴＳ、ＳＤＤＳのうちのいずれかのコードが記述され得る。ＡＴＳ管理テーブル８１１のダウンミックス係数８２５は値「０」で埋められる。これは、ダウンミックス係数８２５が使用されないことを意味する。
【０１０２】
ＡＴＳ＿ＰＧＣカテゴリ８５１の音声コード化モード８７５にはＶＯＢ６０２で定義されるコードが記述される。
【０１０３】
ＡＴＳセル再生情報８６３のＡＴＳセル開始アドレス（ＡＴＳ＿Ｃ＿ＳＡ）８９３とＡＴＳセル終了アドレス（ＡＴＳ＿Ｃ＿ＥＡ）８９４にはＶＯＢ６０２のセルのアドレスが記述される。
【０１０４】
図８Ｃは、ＡＴＳアドレス情報８２２のデータ構造を示す。
【０１０５】
ＡＴＳアドレス情報８２２は、オーディオタイトルセット８００の最終アドレス８２２ａと、オーディオタイトルセット情報８０１の最終アドレス８２２ｂと、ＡＴＳ管理テーブル８１１の最終アドレス８２２ｃと、ビデオタイトルセット６００の開始アドレス８２２ｄと、オブジェクト領域の開始アドレス８２２ｅと、ＡＴＳプログラムチェーン情報テーブル８１２の開始アドレス８２２ｆとを含む。図８Ｃにおいて、ＡＴＳアドレス情報８２２からの矢印は、アドレスが指し示す場所を示す。
【０１０６】
オーディオタイトルセット８００がＡＯＢポイントタイプ（図８Ａ）である場合には、ＡＴＳアドレス情報８２２のビデオタイトルセット６００の開始アドレス８２２ｄは、値「０」で埋められている。オーディオタイトルセット８００がＶＯＢポイントタイプ（図８Ｂ）である場合には、ＡＴＳアドレス情報８２２のビデオタイトルセット６００の開始アドレス８２２ｄには、ＶＯＢ６０２が属するビデオタイトルセット６００の開始アドレスが格納されている。従って、ＡＴＳアドレス情報８２２のフィールド８２２ｄに値「０」が格納されている場合には、オーディオタイトルセット８００はＡＯＢポイントタイプであり、それ以外の場合は、オーディオタイトルセット８００はＶＯＢポイントタイプである。
【０１０７】
このように、オーディオタイトルセット８００がＡＯＢポイントタイプであるかＶＯＢポイントタイプであるかは、ＡＴＳアドレス情報８２２のフィールド８２２ｄを参照することによって識別され得る。
【０１０８】
なお、オーディオタイトルセット８００がＡＯＢポイントタイプである場合には、オブジェクト領域の開始アドレス８２２ｅにはＡＯＢ＃１の開始アドレスが格納される。オーディオタイトルセット８００がＶＯＢポイントタイプである場合には、オブジェクト領域の開始アドレス８２２ｅにはＶＯＢ＃１の開始アドレスが格納される。
【０１０９】
このようにして、オーディオタイトルセットを１単位として、ＡＯＢ８０２の再生順序またはＶＯＢ６０２の再生順序が決定される。
【０１１０】
（４．２）オーディオマネージャ情報９００のデータ構造
オーディオマネージャ情報９００は、光ディスクがディスク再生装置により音声主体で再生される際に最初に参照される再生制御のための情報である。
【０１１１】
図９は、オーディオマネージャ情報９００のデータ構造を示す。
【０１１２】
オーディオマネージャ情報（ＡＭＧＩ）９００は、オーディオマネージャ情報管理テーブル（ＡＭＧＩ＿ＭＡＴ）９０１と、オーディオタイトルサーチポインタテーブル（ＡＴＴ＿ＳＲＰＴ）９０２と、オーディオオンリータイトルサーチポインタテーブル（ＡＯＴＴ＿ＳＲＰＴ）９０３と、オーディオマネージャメニューＰＧＣ管理情報テーブル（ＡＭＧＭ＿ＰＧＣＩ＿ＵＴ）９０４と、オーディオテキストデータマネージャ（ＡＴＸＴＤＴ＿ＭＧ）９０５とを含む。
【０１１３】
オーディオマネージャ情報管理テーブル９０１には、オーディオマネージャ情報９００の属性や各種テーブルのアドレス情報などが格納される。
【０１１４】
オーディオタイトルサーチポインタテーブル９０２は、オーディオタイトルサーチポインタテーブル情報（ＡＴＴ＿ＳＲＰＴＩ）９１１と、複数のオーディオタイトルサーチポインタ（ＡＴＴ＿ＳＲＰ）９１２とを含む。
【０１１５】
オーディオタイトルサーチポインタテーブル情報９１１には、オーディオタイトルの数とオーディオタイトルサーチポインタテーブル９０２の最後のアドレスとが格納される。
【０１１６】
オーディオタイトルサーチポインタ９１２には、ＡＴＳのタイトルを指定する場合とＶＴＳのタイトルを指定する場合とで異なる情報が格納される。ＡＴＳのタイトルを指定する場合には、オーディオタイトルサーチポインタ９１２には、ＡＴＳ番号９３４、ＡＴＳ内タイトル番号９３５およびＡＴＳ開始アドレス９３６がそれぞれ格納される。ＶＴＳのタイトルを指定する場合には、オーディオタイトルサーチポインタ９１２には、ＶＴＳ番号９４２、ＶＴＳ内タイトル番号９４３、ＶＴＳ開始アドレス９４４およびアングル番号９４１がそれぞれ格納される。
【０１１７】
オーディオタイトルサーチポインタ９１２のオーディオタイトルカテゴリ９３１は、ＡＯＴＴ／ＡＶＴＴフラグ９６１と、メニュー回帰フラグ９６２と、ＡＴＴグループ番号９６３とを含む。
【０１１８】
ＡＴＳのタイトルを指定する場合には、ＡＯＴＴ／ＡＶＴＴフラグ９６１にはＡＯＴＴを示すコードが格納される。ＶＴＳのタイトルを指定する場合には、ＡＯＴＴ／ＡＶＴＴフラグ９６１にはＡＶＴＴを示すコードが格納される。
【０１１９】
メニュー回帰フラグ９６２には、指定されたタイトルを再生後にメニューに戻るか否かを示すフラグが格納される。
【０１２０】
ＡＴＴグループ番号９６３には、指定されたタイトルが属するタイトルグループの番号が格納される。ここで、タイトルグループとは、同一のタイトルグループに属している複数のタイトルを連続再生することを保証するための概念である。ＡＴＴグループ番号９６３は、複雑なナビゲーション情報に基づく再生制御を行うことなく、複数のタイトルを連続再生するために設けられている。
【０１２１】
オーディオタイトルサーチポインタテーブル９０２は、映像機能付きのオーディオプレイヤーによって参照される。
【０１２２】
オーディオオンリータイトルサーチポインタテーブル９０３は、オーディオタイトルサーチポインタテーブル９０２と同様のデータ構造を有している。ただし、オーディオオンリータイトルサーチポインタテーブル９０３を用いてＶＴＳのタイトルが指定されることはない。
【０１２３】
オーディオオンリータイトルサーチポインタテーブル９０３は、音声出力のみのオーディオプレイヤーによって参照される。
【０１２４】
オーディオマネージャメニューＰＧＣ管理情報テーブル９０４には、メニューの再生順序が記述される。
【０１２５】
オーディオテキストデータマネージャ９０５には、文字情報を表示するための情報が格納される。
【０１２６】
以下、ＤＶＤ１００に格納された情報を再生する再生装置を説明する。
【０１２７】
図１０は、ＤＶＤ１００の再生装置であるＤＶＤプレイヤー１、ＤＶＤプレイヤー１に接続されたテレビモニタ２およびリモコン９１の外観を示す。
【０１２８】
ＤＶＤプレイヤー１は、筐体の前面に開口を有している。その開口の奥行き方向にはＤＶＤ１００をローディングするドライブ機構（図示せず）が設けられている。
【０１２９】
ＤＶＤプレイヤー１の前面には、リモコン９１からの赤外線を受光する受光素子を有するリモコン受信部９２が設けられている。ユーザがリモコン９１のキーを操作すると、ユーザからのキー入力に応じた赤外線がリモコン９１から発せられる。リモコン受信部９２は、受信した赤外線に応答して、リモコン９１のキー信号を受信したことを示す割り込み信号を生成する。
【０１３０】
ＤＶＤプレイヤー１の背面には、ビデオ出力端子９５とオーディオ出力端子９６とが設けられている。これらの出力端子にＡＶコードを接続することにより、ＤＶＤ１００から再生された映像信号を家庭用の大型テレビモニタ２に出力することができる。このようにして、ユーザは、３３インチ、３５インチなどの家庭用の大型テレビによって、ＤＶＤ１００から再生された映像を楽しむことができる。
【０１３１】
以上の説明から理解されるように、ＤＶＤプレイヤー１はパソコンなどのコンピュータ機器に接続して用いるものではなく、家庭用電化機器としてテレビモニタ２に接続して用いるものである。
【０１３２】
リモコン９１は、その筐体表面にバネ付勢された複数のキーが操作パネル上に設けられており、押下されたキーに対応するコードを赤外線で出力する。
【０１３３】
図１１は、リモコン９１の操作パネル９１ａを示す。操作パネル９１ａ上には様々な操作キーが設けられている。
【０１３４】
「ＰＯＷＥＲ」キー１９２は、ＤＶＤプレイヤー１の電源のＯＮ／ＯＦＦを行なうために使用される。
【０１３５】
「Ａ−ＭＯＤＥ」キー１９３は、音声主体の再生モードを指定するために使用される。「Ａ−ＭＯＤＥ」キー１９３が押下されると、リモコン９１は、音声主体の再生モードを示すコードをＤＶＤプレイヤー１に転送する。
【０１３６】
「Ｖ−ＭＯＤＥ」キー１９４は、映像主体の再生モードを指定するために使用される。「Ｖ−ＭＯＤＥ」キー１９４が押下されると、リモコン９１は、映像主体の再生モードを示すコードをＤＶＤプレイヤー１に転送する。
【０１３７】
「ＭＥＮＵ」キー１９５は、プログラムチェーンに従って映像情報または音声情報を再生する途中で、ＤＶＤ１００のボリュームメニューを呼び出すために使用される。
【０１３８】
テンキー１９７は、映画におけるチャプタージャンプ、音楽における曲の選択などを指示するために使用される。
【０１３９】
カーソルキー１９８は、カーソルを上下左右の方向に移動させ、アイテムを選択するために使用される。
【０１４０】
「ＥＮＴＥＲ」キー１９６は、カーソルによって選択されたアイテムを確定するために使用される。カーソルがアイテムの上に位置している場合には、そのアイテムは管理情報パックのアイテム色情報のセレクト色で表示される。「ＥＮＴＥＲ」キー１９６の押下によってアイテムの選択が確定すると、そのアイテムは管理情報パックのアイテム色情報の確定色で表示される。
【０１４１】
キー１９９は、「再生」、「停止」、「ポーズ」、「早送り」および「巻き戻し」などの動作をＤＶＤプレイヤー１に指示するために使用される。キー１９９は、他のＡＶ機器と共通のキーである。
【０１４２】
図１２は、本発明の実施の形態のＤＶＤプレイヤー１の構成を示す。図１２に示されるように、ＤＶＤプレイヤー１は、ドライブ機構部１６と、信号処理部８４と、ＡＶデコーダ部８５と、オーディオデコーダ部９４と、リモコン９１からの信号を受信するリモコン受信部９２と、システム制御部９３とを含む。
【０１４３】
ドライブ機構部１６は、ＤＶＤ１００をセットする基台（図示せず）と、基台にセットしたＤＶＤ１００をクランプして回転駆動するモータ８１とを含む。モータ８１は、例えば、スピンドルモータである。ＤＶＤ１００をセットする基台は、イジェクト機構部（図示せず）によって筐体の内外に移動する。基台が筐体の外側に移動した状態で、ユーザはＤＶＤ１００を基台にセットする。その後、ＤＶＤ１００をセットした基台が筐体の内側に移動する。このようにして、ＤＶＤ１００がＤＶＤプレイヤー１に装填される。
【０１４４】
ドライブ機構部１６は、モータ８１と光ピックアップ８２とを含む機構系を制御する機構制御部８３をさらに含む。光ピックアップ８２は、ＤＶＤ１００に格納された信号を読み出す。
【０１４５】
機構制御部８３は、システム制御部９３から指示されたトラック位置に応じてモータ８１の速度を調整する。また、機構制御部８３は、光ピックアップ８２のアクチュエータ（図示せず）を制御することにより光ピックアップ８２の位置の移動を制御する。サーボ制御によりトラックの正確な位置が検出されると、機構制御部８３は、所望の物理セクタが格納されているところまで回転待ちを行い、その所望の物理セクタから連続して信号を読み出す。
【０１４６】
信号処理部８４は、光ピックアップ８２から読み出された信号に増幅、波形整形、二値化  、復調、エラー訂正などの処理を施す。光ピックアップ８２によって読み出された信号は、デジタルデータに変換され、システム制御部９３内のバッファメモリ９３ａに論理ブロック単位で格納される。
【０１４７】
ＡＶデコーダ部８５は、入力されるＶＯＢ６０２のデジタルデータに対して所定の処理を施し、そのデジタルデータをビデオ信号およびオーディオ信号に変換する。ビデオ信号およびオーディオ信号は、ＡＶデコーダ８５から出力される。
【０１４８】
ＡＶデコーダ部８５は、システムデコーダ部８６と、ビデオデコーダ８７と、副映像デコーダ８８と、ＡＶデコーダ用オーディオデコーダ８９と、映像合成部９０とを含む。
【０１４９】
システムデコーダ部８６は、システム制御部９３のバッファメモリ９３ａから論理ブロック（パケット）単位で転送されてくるデジタルデータを受けとり、各パケットのヘッダ内のストリームＩＤ、サブストリームＩＤを判別することによって、動画データパック、副映像データパック、オーディオデータパック、管理情報パックの振り分けを行う。この振り分けにおいて、動画データパックはビデオデコーダ８７に出力される。音声データパックと副映像データパックについては、システム制御部９３より入力されるデコードストリーム指定命令に従い、指定されたストリーム番号を有する副映像データパックとオーディオデータパックのみが、それぞれ、副映像デコーダ８８とＡＶデコーダ用オーディオデコーダ８９とに出力される。管理情報パックは、システム制御部９３に出力される。
【０１５０】
ビデオデコーダ８７に入力された動画データパックはＭＰＥＧ２で規定される所定の方式に従って伸張され、デジタル映像データとして映像合成部９０に出力される。
【０１５１】
副映像デコーダ８８に入力された副映像データパックはランレングス方式に従って伸張され、デジタル映像データとして映像合成部９０に出力される。
【０１５２】
ビデオデコーダ８７から出力されたデジタル映像データと副映像デコーダ８８から出力されたデジタル映像データとは、映像合成部９０によって映像合成された後にＮＴＳＣ方式のビデオ信号に変換される。ビデオ信号は、ビデオ出力端子９５（図１０）を介してＤＶＤプレイヤー１の外部に出力される。
【０１５３】
ＡＶデコーダ用オーディオデコーダ８９に入力されたオーディオデータパックは、そのデータタイプに応じてＬＰＣＭまたはＡＣ３等の圧縮オーディオのいずれかの方式でデコードされ、Ｄ／Ａ変換される。その結果、オーディオ信号が得られる。オーディオ信号は、オーディオ出力端子９６（図１０）を介してＤＶＤプレイヤー１の外部に出力される。
【０１５４】
オーディオデコーダ部９４は、入力されるＡＯＢ８０２のデジタルデータに対して、そのデータタイプに応じて所定の処理を施す。その結果、オーディオ信号が得られる。オーディオ信号は、オーディオ出力端子９６（図１０）を介してＤＶＤプレイヤー１の外部に出力される。
【０１５５】
システム制御部９３は、ＤＶＤプレイヤー１の全体の制御を行うＣＰＵ９３ｂと、各種の作業用メモリとを含む。
【０１５６】
次に、上述した構成を有するＤＶＤプレイヤー１の動作を説明する。
【０１５７】
リモコン９１の「Ｖ−ＭＯＤＥ」キー１９３がユーザによって押下されると、映像主体の再生モードを示す赤外線信号がリモコン９１からＤＶＤプレイヤー１に送信される。リモコン９１からの赤外線信号は、ＤＶＤプレイヤー１のリモコン受信部９２によって受信され、そこで解析される。その結果、映像主体の再生モードを示すコードがシステム制御部９３内の再生モード保持部９３ｃに保持される。
【０１５８】
リモコン９１の「Ａ−ＭＯＤＥ」キー１９４がユーザによって押下された場合も同様にして、音声主体の再生モードを示すコードがシステム制御部９３の再生モード保持部９３ｃに保持される。
【０１５９】
システム制御部９３は、再生モード決定部９３ｄを含む。再生モード決定部９３ｄは、ＤＶＤ１００の再生開始時に、再生モード保持部９３ｃに保持されているコードを参照することによって再生モードが映像主体の再生モードであるか音声主体の再生モードであるかを決定する。再生モード決定部９３ｄの機能は、例えば、ＣＰＵ９３ｂによって実行されるプログラムによって実現され得る。
【０１６０】
なお、上述した再生モードは、ユーザからの入力に応じて切り替えられるとは限らない。
【０１６１】
例えば、ディスク再生装置が開閉式の液晶表示パネルを有する携帯型の装置である場合には、液晶表示パネルの開閉状態に応じて再生モードを自動的に切り替えるようにしてもよい。例えば、液晶表示パネルが開状態である場合には、再生モードは映像主体の再生モードに切り替えられ、液晶表示パネルが閉状態である場合には、再生モードは音声主体の再生モードに切り替えられる。このような制御は、液晶表示パネルの開閉状態を示す制御信号を再生モード決定部９３ｄに入力し、その制御信号に応答して再生モード決定部９３ｄを動作させることによって達成される。
【０１６２】
また、ビデオ出力端子の接続状態に応じて再生モードを自動的に切り替えるようにしてもよい。例えば、ビデオ出力端子にＡＶコードが接続されている場合には、再生モードは映像主体の再生モードに切り替えられ、ビデオ出力端子にＡＶコードが接続されていない場合には、再生モードは音声主体の再生モードに切り替えられる。このような制御は、ビデオ出力端子の接続状態を示す制御信号を再生モード決定部９３ｄに入力し、その制御信号に応答して再生モード決定部９３ｄを動作させることによって達成される。
【０１６３】
また、ビデオ信号の出力の有無に応じて再生モードを自動的に切り替えるようにしてもよい。例えば、ビデオ出力端子にビデオ信号が出力されている場合には、再生モードは映像主体の再生モードに切り替えられ、ビデオ出力端子にビデオ信号が出力されていない場合には、再生モードは音声主体の再生モードに切り替えられる。このような制御は、ビデオ出力端子におけるビデオ信号の出力の有無を検出し、その検出結果を示す制御信号を再生モード決定部９３ｄに入力し、その制御信号に応答して再生モード決定部９３ｄを動作させることによって達成される。
【０１６４】
さらに、ディスク再生装置が車載用の装置である場合には、車両走行の状態に応じて再生モードを自動的に切り替えるようにしてもよい。例えば、車両が停止している場合には、再生モードは映像主体の再生モードに切り替えられ、車両が走行している場合には、再生モードは音声主体の再生モードに切り替えられる。このような制御は、車両の走行状態を示す制御信号を再生モード決定部９３ｄに入力し、その制御信号に応答して再生モード決定部９３ｄを動作させることによって達成される。車両が停止している状態か否かは、例えば、サイドブレーキの状態やギアレバーの状態を検出することによって検出され得る。オートマチック車の場合には、ギアレバーがパーキングの状態になっている場合には、車両が停止状態であると判定される。
【０１６５】
図１３Ａは、映像主体の再生モードにおける再生処理の手順を示す。ここで、図１３Ａに示される再生処理が実行される前に、再生モードは映像主体の再生モードであると決定されていると仮定する。
【０１６６】
ステップＳ１３１では、光ディスクがＤＶＤプレイヤー１に装填されているか否かが判定される。このような判定は、例えば、光学センサーからの信号に応じてシステム制御部９３によって行われる。
【０１６７】
光ディスクがＤＶＤプレイヤー１に装填されていると判定された場合には、システム制御部９３は、機構制御部８３および信号処理部８４を制御することにより、ディスクの回転制御を行い、光ピックアップ８２をリードイン領域３１（図３）にシークさせる初期化動作を行う。これにより、再生処理が開始される。
【０１６８】
ステップＳ１３２では、ビデオゾーン領域３２ｂ（図３）からビデオマネージャ情報７００（図３）が読み出される。この読み出しは、ボリューム・ファイル管理領域３２ａ（図３）から読み出した情報に基づいて行われる。
【０１６９】
システム制御部９３は、ビデオマネージャ情報７００のメニュー用ＰＧＣ管理情報テーブル７０１（図７）を参照することにより（ステップＳ１３３）、ボリュームメニュー用のプログラムチェーン情報のアドレスを算出し（ステップＳ１３４）、そのアドレスに基づいてボリュームメニュー用のプログラムチェーン情報を読み出し、それをシステム制御部９３の内部に保持する（ステップＳ１３５）。
【０１７０】
システム制御部９３は、保持されたボリュームメニュー用のプログラムチェーン情報を参照することにより、最初に再生すべきメニュー用のＶＯＢ７０３（図７）のアドレスを算出し（ステップＳ１３６）、そのアドレスに基づいてメニュー用のＶＯＢ７０３（図７）を再生する（ステップＳ１３７）。これにより、映像メニューが表示される（ステップＳ１３８）。この映像メニューは、ユーザが再生することを希望するタイトルを選択するために使用される。
【０１７１】
図１５は、映像メニューの表示例を示す。ユーザは、「ＭｏｖｉｅＡ」、「ＭｏｖｉｅＢ」、「ＭｏｖｉｅＣ」から所望のタイトルを選択することができる。例えば、ユーザは、表示されている複数のメニュー項目の中から選択したいメニュー項目に対応するリモコン９１（図１０）のキーを押下する。このようにして、複数のメニュー項目のうちの１つが選択される（ステップＳ１３９）。
【０１７２】
システム制御部９３は、リモコン受信部９２（図１２）を介して選択されたメニュー項目を示す情報（例えば、メニュー項目の番号）を受け取る。システム制御部９３には、再生中の映像メニューのＶＯＢに含まれる管理情報パックがＡＶデコーダ８５から入力される。システム制御部９３は、その管理情報パックを参照することにより、選択されたメニュー項目の番号に対応する制御コマンドを実行する（ステップＳ１４０）。
【０１７３】
制御コマンドは、例えば、「タイトル番号ｎのタイトルを再生せよ」という旨の”ＴｉｔｌｅＰｌａｙ  ＃ｎ”コマンドである。
【０１７４】
システム制御部９３は、「映像主体の再生モードにおけるタイトルの再生」サブルーチンを呼び出すことによって”ＴｉｔｌｅＰｌａｙ  ＃ｎ”コマンドを実行する（ステップＳ１４１）。
【０１７５】
ステップＳ１４２では、図１５に示される映像メニューに戻るか否かが判定される。ステップＳ１４２の判定が「Ｙｅｓ」の場合には処理はステップＳ１３３に戻り、ステップＳ１４２の判定が「Ｎｏ」の場合には再生処理が終了する。
【０１７６】
図１３Ｂは、「映像主体の再生モードにおけるタイトルの再生」サブルーチンによる再生処理の手順を示す。
【０１７７】
システム制御部９３は、ビデオマネージャ情報７００からタイトルサーチポインタテーブル７０２（図７）を読み出す（ステップＳ１５１）。
【０１７８】
システム制御部９３は、タイトル番号ｎに対応するタイトルサーチポインタ７１２（図７）を参照することにより、ＶＴＳ番号７２１（図７）とＶＴＳ内タイトル番号７２２（図７）とを取得する（ステップＳ１５２）。
【０１７９】
システム制御部９３は、ＶＴＳ番号７２１に対応するビデオタイトルセット６００（図６）からビデオタイトルセット部タイトルサーチポインタテーブル６１２（図６）を読み出す（ステップＳ１５３）。
【０１８０】
システム制御部９３は、ＶＴＳ内タイトル番号７２２に対応する開始ＰＧＣ番号６２２（図６）を参照することにより、最初に実行されるべきＰＧＣ情報６３１（図６）のアドレスを算出し（ステップＳ１５４）、そのアドレスに基づいてＰＧＣ情報６３１を読み出し、それをシステム制御部９３の内部に保持する（ステップＳ１５５）。
【０１８１】
システム制御部９３は、ＰＧＣ情報６３１に従ってＶＯＢアドレス６４２（図６）を取得し（ステップＳ１５６）、そのアドレスに基づいてＶＯＢ６０２を再生する（ステップＳ１５７）。
【０１８２】
ステップＳ１５８では、再生されるべき最後のＶＯＢ６０２であるか否かが判定される。ステップＳ１５８の判定が「Ｙｅｓ」の場合には処理はステップＳ１５９に進み、ステップＳ１５８の判定が「Ｎｏ」の場合には処理はステップＳ１５６に戻る。
【０１８３】
ステップＳ１５９では、再生されるべき最後のＰＧＣ情報６３１であるか否かが判定される。この判定は、ＰＧＣ連結情報６４１（図６）を参照することによって行われる。ステップＳ１５９の判定が「Ｙｅｓ」の場合には処理は図１３ＡのステップＳ１４２に進み、ステップＳ１５９の判定が「Ｎｏ」の場合には処理はステップＳ１５４に戻る。
【０１８４】
なお、ＰＧＣ情報により再生されるＶＯＢが再生進行を分岐するメニューに対応する場合には、前述したビデオマネージャ情報に基づくメニューの表示と同様に、再生されるＶＯＢに含まれる映像データによってメニュー項目が表示される。ＶＯＢの管理情報パックにはユーザインタラクションにより起動される制御コマンドが格納されている。従って、リモコンなどの操作によりユーザインタラクションが受け付けられると、システム制御部９３は、ＶＯＢの管理情報パックの制御コマンドを実行する。これにより、分岐再生制御が行われる。
【０１８５】
なお、図１０には示されていないが、ＤＶＤプレーヤ１には音声チャネルと副映像チャネルとを切り替えるための切り替えキーが設けられている。この切り替えキーを用いてユーザによって選択された音声チャネルおよび副映像チャネルは、システム制御部９３内のレジスタ（図示せず）に保持される。ＶＯＢが再生される際、システム制御部９３は、そのレジスタを参照することにより、ＡＶデコーダ部８５に対して有効なチャネルの指定を行う。このような指定は、システム制御部９３からＡＶデコーダ部８５に制御信号を出力することによって行われる。これにより、有効な音声チャネルおよび副映像チャネルの情報のみが、動画情報と共に外部に出力されることになるのである。
【０１８６】
図１４Ａは、音声主体の再生モードにおける再生処理の手順を示す。ここで、図１４Ａに示される再生処理が実行される前に、再生モードは音声主体の再生モードであると決定されていると仮定する。
【０１８７】
ステップＳ１６１では、光ディスクがＤＶＤプレイヤー１に装填されているか否かが判定される。このような判定は、例えば、光学センサーからの信号に応じてシステム制御部９３によって行われる。
【０１８８】
光ディスクがＤＶＤプレイヤー１に装填されていると判定された場合には、システム制御部９３は、機構制御部８３および信号処理部８４を制御することにより、ディスクの回転制御を行い、光ピックアップ８２をリードイン領域３１（図３）にシークさせる初期化動作を行う。これにより、再生処理が開始される。
【０１８９】
ステップＳ１６２では、オーディオゾーン領域３２ｃ（図３）からオーディオマネージャ情報９００（図３）が読み出される。この読み出しは、ボリューム・ファイル管理領域３２ａ（図３）から読み出した情報に基づいて行われる。
【０１９０】
システム制御部９３は、オーディオマネージャ情報９００のオーディオオンリータイトルサーチポインタテーブル９０３（図９）を参照することにより（ステップＳ１６３）、オーディオオンリータイトルサーチポインタテーブル９０３内のエントリ順序に従ってＡＴＳ番号９５４とＡＴＳ内タイトル番号９５５とを取得する（ステップＳ１６４）。
【０１９１】
システム制御部９３は、「音声主体の再生モードにおけるタイトルの再生」サブルーチンを呼び出すことによって、ＡＴＳ番号９５４とＡＴＳ内タイトル番号９５５とによって指定されるタイトルを再生する（ステップＳ１６５）。
【０１９２】
ステップＳ１６６では、再生されるべき最後のタイトルであるか否かが判定される。ステップＳ１６６の判定が「Ｙｅｓ」の場合には再生処理が終了する。ステップＳ１６６の判定が「Ｎｏ」の場合には処理はステップＳ１６３に戻る。
【０１９３】
図１４Ｂは、「音声主体の再生モードにおけるタイトルの再生」サブルーチンによる再生処理の手順を示す。
【０１９４】
システム制御部９３は、指定されたＡＴＳ番号９５４に対応するオーディオタイトルセット８００からオーディオタイトルセット情報８０１（図８Ａ）を読み出す（ステップＳ１７１）。
【０１９５】
システム制御部９３は、オーディオタイトルセット情報８０１からＡＴＳプログラムチェーン情報テーブル８１２を読み出し（ステップＳ１７２）、ＡＴＳプログラムチェーン情報テーブル８１２内のエントリ順序に従ってＡＴＳプログラムチェーン情報サーチポインタ８３２を読み出す（ステップＳ１７３）。
【０１９６】
システム制御部９３は、ＡＴＳプログラムチェーン情報サーチポインタ８３２のＡＴＳ＿ＰＧＣカテゴリ８５１を検索することにより、指定されたＡＴＳ内タイトル番号９５５がＡＴＳ＿ＰＧＣカテゴリ８５１のＡＴＳ内タイトル番号８７２に一致するか否かを判定する（ステップＳ１７４）。
【０１９７】
ステップＳ１７４の判定が「Ｙｅｓ」の場合には処理はステップＳ１７５に進み、ステップＳ１７４の判定が「Ｎｏ」の場合には処理はステップＳ１７３に戻る。ステップＳ１７３では、他のＡＴＳプログラムチェーン情報サーチポインタ８３２が読み出される。
【０１９８】
システム制御部９３は、指定されたＡＴＳ内タイトル番号９５５が発見されたＡＴＳプログラムチェーン情報サーチポインタ８３２に対応するＡＴＳプログラムチェーン情報８３３を読み出し、それをシステム制御部９３の内部に保持する（ステップＳ１７５）。
【０１９９】
システム制御部９３は、ＡＴＳプログラムチェーン情報８３３内のエントリ順序に従って再生すべきＡＴＳプログラム情報８６２を取得し（ステップＳ１７６）、ＡＴＳプログラム情報８６２のエントリーセル番号８８３に記述されているセル番号に基づいて再生すべきセルを決定する。
【０２００】
システム制御部９３は、ＡＴＳプログラム情報８６２に対応するＡＴＳセル再生情報８６３を取得する（ステップＳ１７７）。ＡＴＳセル再生情報８６３のＡＴＳセル開始アドレス８９３によって再生を開始すべきセルのアドレスが指定され、ＡＴＳセル再生情報８６３のＡＴＳセル終了アドレス８９４によって再生を終了すべきセルのアドレスが指定される。
【０２０１】
システム制御部９３は、ＡＴＳセル開始アドレス８９３とＡＴＳセル終了アドレス８９４とに基づいて、再生すべきオブジェクトのアドレスとそのオブジェクトに対するオフセット情報とを算出し（ステップＳ１７８）、そのアドレスとそのオフセット情報とに基づいてオブジェクトを再生する（ステップＳ１７９）。
【０２０２】
指定されたオーディオタイトルセット８００がＡＯＢポイントタイプである場合には、再生されるオブジェクトはＡＯＢ８０２である。光ディスク上のＡＯＢ８０２の位置は、ＡＴＳアドレス情報８２２のオブジェクト領域の開始アドレス８２２ｅ（図８Ｃ）に基づいて決定される。光ディスクから再生されたＡＯＢ８０２は、システム制御部９３によってオーディオデコーダ部９４に転送される。オーディオデコーダ部９４は、ＡＯＢ８０２をオーディオ信号に変換する。オーディオ信号はＤＶＤプレイヤー１の外部に出力される。
【０２０３】
指定されたオーディオタイトルセット８００がＶＯＢポイントタイプである場合には、再生されるオブジェクトはＶＯＢ６０２である。光ディスク上のＶＯＢ６０２の位置は、ＡＴＳアドレス情報８２２のオブジェクト領域の開始アドレス８２２ｅ（図８Ｃ）に基づいて決定される。光ディスクから再生されたＶＯＢ６０２は、オフセット情報に基づいてＶＯＢ６０２の開始のデータと終了のデータとがトリミングされるようにシステム制御部９３によって処理される。このように処理されたＶＯＢ６０２のデータがＡＶデコーダ部８５に転送される。
【０２０４】
システム制御部９３は、ＶＯＢ６０２のデータの転送に先だって、デコードメディア制限命令をＡＶデコーダ部８５に出力する。ＡＶデコーダ部８５は、デコードメディア制限命令に従って、ＶＯＢ６０２に含まれるオーディオパックのデータのみをデコードすることにより、ＶＯＢ６０２のデータをオーディオ信号に変換する。オーディオ信号はＤＶＤプレイヤー１の外部に出力される。
【０２０５】
次に、図１６Ａおよび図１６Ｂを参照して、映像主体の再生モードにおけるＤＶＤプレイヤー１の動作と、音声主体の再生モードにおけるＤＶＤプレイヤー１の動作とをより具体的に説明する。
【０２０６】
図１６Ａは、映像付き音楽用途のアプリケーションのデータ内容の一例を示す。このアプリケーションは、ある歌手のコンサートのライブを収録したものである。
【０２０７】
動画情報１６０として、ＶＯＢ＃１〜ＶＯＢ＃６が光ディスクに格納されている。音声情報１６２として、ＡＯＢ＃１〜ＡＯＢ＃４が、ＶＯＢ＃１〜ＶＯＢ＃６が格納されている光ディスクと同一の光ディスクに格納されている。
【０２０８】
ＶＯＢ＃２は、「曲Ａ」の動画情報を有する。ここで、「曲Ａ」は、冒頭に観客がコンサート会場に入場してくる映像が“ｔ１"時間経過した後に、曲Ａの演奏と歌唱が“ｔ２"時間継続するという内容であるとする。ＶＯＢ＃３は、「歌手のインタビュー」の動画情報を有する。ＶＯＢ＃４は、「曲Ｂ」の動画情報を有する。ＶＯＢ＃５は、「曲Ｃ」の動画情報を有する。ＶＯＢ＃６は、コンサートのラストを飾る「曲Ｄ」の動画情報を有する。ここで、「曲Ｄ」は、曲Ｄの演奏と歌唱が“ｔ３"時間経過した後に、観客がコンサート会場を退場する映像が“ｔ４"時間経過するという内容であるとする。
【０２０９】
なお、ＶＯＢ＃１は、再生開始時に表示される映像メニューの動画情報を有する。この映像メニューは、「曲Ａ」、「曲Ｂ」、「曲Ｃ」、「曲Ｄ」、「歌手インタビュー」のどれを再生するかを決定し、ＶＯＢの再生経路を分岐させるために使用される。
【０２１０】
なお、ＶＯＢ＃１〜ＶＯＢ＃６のそれぞれは、１６ビットでサンプリングされたＬＰＣＭ形式の音声情報と、曲の歌詞の字幕を表示するための副映像情報とを有している。
【０２１１】
ＡＯＢ＃１〜ＡＯＢ＃４のそれぞれは、２４ビットでサンプリングされたＬＰＣＭ形式の音声情報を有している。このように、ＡＯＢ＃１〜ＡＯＢ＃４のそれぞれは、ＶＯＢ＃１〜ＶＯＢ＃６より高い音声品質の音声情報を有している。
【０２１２】
ＡＯＢ＃１は、「曲Ｂ'」の音声情報を有する。「曲Ｂ'」の音声情報の内容は「曲Ｂ」の音声情報の内容と同一である。ただし、「曲Ｂ'」の音声情報の品質は、「曲Ｂ」の音声情報の品質より高い。
【０２１３】
ＡＯＢ＃２は、「曲Ｃ'」の音声情報を有する。「曲Ｃ'」の音声情報の内容は「曲Ｃ」の音声情報の内容と同一である。ただし、「曲Ｃ'」の音声情報の品質は、「曲Ｃ」の音声情報の品質より高い。
【０２１４】
ＡＯＢ＃３は、「曲Ｅ」の音声情報を有する。ＡＯＢ＃４は、「曲Ｆ」の音声情報を有する。
【０２１５】
図１６Ｂは、図１６Ａに示される映像付き音楽用途のアプリケーションを再生する場合の再生経路を示す。
【０２１６】
図１６Ｂにおいて、参照番号１６４は映像主体の再生モードにおける再生経路を示し、参照番号１６６は音声主体の再生モードにおける再生経路を示す。光ディスクに格納されている各オブジェクトは、再生経路に沿って再生される。
【０２１７】
映像主体の再生モードにおいては、再生開始に先だってＶＯＢ＃１に対応する開始メニューが表示され、ユーザからの入力待ち状態となる。ユーザは、開始メニュー上の複数のメニュー項目のうちの１つを選択する。このような選択は、例えば、リモコンを操作することによってなされる。複数のメニュー項目はＶＯＢ＃２〜ＶＯＢ＃６に予めそれぞれ対応づけられている。ユーザによって選択されたメニュー項目に対応するＶＯＢが再生される。その結果、再生されたＶＯＢに対応するビデオ信号とオーディオ信号とが出力される。
【０２１８】
再生経路１６４は、ＶＯＢ＃１の再生後に、ＶＯＢ＃２〜ＶＯＢ＃６のいずれかに分岐するように規定される。再生経路１６４は、ＰＧＣ情報６３１（図６）によって規定される。
【０２１９】
再生経路１６４に沿って再生が行われる場合には、ＶＯＢ＃２に対応する「曲Ａ」はオフセット無しで“Ｔ１"時間再生され、ＶＯＢ＃６に対応する「曲Ｄ」はオフセット無しで“Ｔ２"時間再生される。
【０２２０】
音声主体の再生モードにおいては、ＶＯＢ＃２、ＡＯＢ＃１、ＡＯＢ＃２、ＶＯＢ＃６、ＡＯＢ＃３、ＡＯＢ＃４の順序で再生される。ただし、ＶＯＢ＃２、ＶＯＢ＃６については、音声情報のみが再生され、映像情報は再生されない。その結果、再生されたＶＯＢまたは再生されたＡＯＢに対応するオーディオ信号が出力される。
【０２２１】
再生経路１６６は、ＶＯＢ＃２、ＡＯＢ＃１、ＡＯＢ＃２、ＶＯＢ＃６、ＡＯＢ＃３、ＡＯＢ＃４がこの順序で再生されるように規定される。再生経路１６６は、ＡＴＳプログラムチェーン情報８３２（図８Ａ、図８Ｂ）によって規定される。
【０２２２】
再生経路１６６に沿って再生が行われる場合には、最初に、ＶＯＢ＃２に対応する「曲Ａ」が再生される。ただし、「曲Ａ」は音声出力に適さない冒頭の"ｔ１"時間だけカットされ、その結果"Ｔ１"時間のうちの“ｔ２"時間だけ再生される。このような再生時間のカットは、オフセット情報（すなわち、ＡＴＳセル再生情報８６３（図８Ａ、図８Ｂ））に基づいて行われる。ＶＯＢ＃２の再生が終了した後、ＡＯＢ＃１に対応する「曲Ｂ'」が「曲Ｂ」よりも高い品質で再生される。ＡＯＢ＃１の再生が終了した後、ＡＯＢ＃２に対応する「曲Ｃ'」が「曲Ｃ」よりも高い品質で再生される。ＡＯＢ＃２の再生が終了した後、ＶＯＢ＃６に対応する「曲Ｄ」が再生される。ただし、「曲Ｄ」は音声出力に適さない末尾の"ｔ４"時間だけカットされ、その結果"Ｔ２"時間のうちの"ｔ３"時間だけ再生される。このような再生時間のカットは、オフセット情報（すなわち、ＡＴＳセル再生情報８６３（図８Ａ、図８Ｂ））に基づいて行われる。ＶＯＢ＃６の再生が終了した後、ＡＯＢ＃３に対応する「曲Ｅ」が再生される。ＡＯＢ＃３の再生が終了した後、ＡＯＢ＃４に対応する「曲Ｆ」が再生される。
【０２２３】
図１７は、光ディスク上の具体的なデータの配置の例を示す。この例では、図の上から下に向かって光ディスクのアドレスが昇順に並んでいると仮定する。
【０２２４】
図１７に示される例では、オーディオゾーン領域３２ｃがビデオゾーン領域３２ｂよりも小さいアドレスに割り当てられている。あるいは、オーディオゾーン領域３２ｃは、ビデオゾーン領域３２ｂよりも大きいアドレスに割り当てられてもよい。
【０２２５】
オーディオゾーン領域３２ｃには、オーディオマネージャ（ＡＭＧ）と２つのオーディオタイトルセット（ＡＴＳ＃１、ＡＴＳ＃２）とが配置されている。オーディオマネージャ（ＡＭＧ）は、オーディオマネージャ情報（ＡＭＧＩ）とオーディオマネージャ用メニュー（ＡＭＧ＿Ｍｅｎｕ）とを含む。
【０２２６】
オーディオタイトルセット（ＡＴＳ＃１）は、ＶＯＢポイントタイプのＡＴＳである。従って、オーディオタイトルセット（ＡＴＳ＃１）は、オーディオタイトルセット情報（ＡＴＳＩ＃１）のみを含む。オーディオタイトルセット（ＡＴＳ＃２）は、ＡＯＢポイントタイプのＡＴＳである。従って、オーディオタイトルセット（ＡＴＳ＃２）は、オーディオタイトルセット情報（ＡＴＳＩ＃２）とオーディオオブジェクト（ＡＴＳ＃２  ＡＯＢｓ）とを含む。
【０２２７】
ビデオゾーン領域３２ｂには、ビデオマネージャ（ＶＭＧ）とビデオタイトルセット（ＶＴＳ＃１）とが配置されている。ビデオマネージャ（ＶＭＧ）は、ビデオマネージャ情報（ＶＭＧＩ）とビデオマネージャメニュー（ＶＭＧ＿Ｍｅｎｕ）とを含む。ビデオタイトルセット（ＶＴＳ＃１）は、ビデオタイトルセット情報（ＶＴＳＩ＃１）とビデオオブジェクト（ＶＴＳ＃１  ＶＯＢｓ）とを含む。
【０２２８】
オーディオマネージャ情報（ＡＭＧＩ）は、音声専用プレイヤーによって参照されるオーディオオンリータイトルサーチポインタテーブル情報（ＡＯＴＴ＿ＳＲＰＴＩ）と映像機能付きオーディオプレイヤーによって参照されるオーディオタイトルサーチポインタテーブル情報（ＡＴＴ＿ＳＲＰＴＩ）とを含む。オーディオオンリータイトルサーチポインタテーブル情報（ＡＯＴＴ＿ＳＲＰＴＩ）は、ＡＴＳ＃１とＡＴＳ＃２に含まれるオーディオタイトルのみを指示するのに対し、オーディオタイトルサーチポインタテーブル情報（ＡＴＴ＿ＳＲＰＴＩ）は、それらのオーディオタイトルに加えて、映像付きで再生するために、ビデオマネージャ（ＶＭＧ）のタイトルをも指示する（矢印１７１を参照）。
【０２２９】
オーディオタイトルセット情報（ＡＴＳＩ＃１）は、オブジェクトの再生順序を規定するＡＴＳプログラムチェーン情報（ＡＴＳ＿ＰＧＣＩ＃１、ＡＴＳ＿ＰＧＣＩ＃２）を含む。ＡＴＳ＃１はＡＯＢを有しないため、ＡＴＳプログラムチェーン情報（ＡＴＳ＿ＰＧＣＩ＃１、ＡＴＳ＿ＰＧＣＩ＃２）は、ＶＴＳ＃１に含まれるＶＯＢを指示する。すなわち、ＡＴＳ＿ＰＧＣＩ＃１は、ＶＯＢ＃２を指示し（矢印１７２を参照）、ＡＴＳ＿ＰＧＣＩ＃２は、ＶＯＢ＃６を指示する（矢印１７３を参照）。
【０２３０】
オーディオタイトルセット情報（ＡＴＳＩ＃２）は、オブジェクトの再生順序を規定するＡＴＳプログラムチェーン情報（ＡＴＳ＿ＰＧＣＩ＃１、ＡＴＳ＿ＰＧＣＩ＃２）を含む。ＡＴＳ＃２はＡＯＢを有するため、ＡＴＳプログラムチェーン情報（ＡＴＳ＿ＰＧＣＩ＃１、ＡＴＳ＿ＰＧＣＩ＃２）は、ＡＴＳ＃２のＡＯＢを指示する。すなわち、ＡＴＳ＿ＰＧＣＩ＃１は、ＡＯＢ＃１を指示し（矢印１７４を参照）、ＡＴＳ＿ＰＧＣＩ＃２は、ＡＯＢ＃２を指示する（矢印１７５を参照）。
【０２３１】
ビデオタイトルセット情報（ＶＴＳＩ＃１）は、オブジェクトの再生順序を規定するＰＧＣ情報（ＰＧＣＩ＃１〜ＰＧＣＩ＃３）を含む。ＰＧＣ情報（ＰＧＣＩ＃１〜ＰＧＣＩ＃３）は、ＶＴＳ＃１のＶＯＢをそれぞれ指示する。
【０２３２】
図１８は、映像主体の再生モードにおけるオブジェクトの再生順序と音声主体の再生モードにおけるオブジェクトの再生順序とを示す。
【０２３３】
映像主体の再生モードでは、ビデオマネージャ（ＶＭＧ）のビデオオブジェクト（ＶＯＢ＃１）が最初に再生される。これにより、ＶＯＢ＃１に対応する開始メニューが表示される。ユーザからの入力に従って所望のタイトルが選択される。所望のタイトルが選択されると、ビデオマネージャ（ＶＭＧ）のナビゲーション情報であるタイトルサーチポインタテーブル（ＴＴ＿ＳＲＰＴ）に従って、ビデオタイトルセット（ＶＴＳ＃１）のＰＧＣ情報（ＰＧＣ＃１、ＰＧＣ＃２、ＰＧＣ＃３）が再生される。このナビゲーション情報に従って、「曲Ａ」、「歌手インタビュー」、「曲Ｂ」、「曲Ｃ」、「曲Ｄ」が再生される。
【０２３４】
音声主体の再生モードでは、オーディオマネージャ（ＡＭＧ）のナビゲーション情報であるオーディオオンリータイトルサーチポインタテーブル（ＡＯＴＴ＿ＳＲＰＴ）に従って、ＡＴＴ＃１、ＡＴＴ＃３、ＡＴＴ＃４、ＡＴＴ＃５がこの順に再生される。ＡＴＴ＃１は、ＡＴＳ＃１のＰＧＣ＃１を経てＶＴＳ＃１のＶＯＢ＃２のセル＃２を指す。ＡＴＴ＃３は、ＡＴＳ＃２のＰＧＣ＃１を経てＡＯＢ＃１を指す。ＡＴＴ＃４は、ＡＴＳ＃２のＰＧＣ＃１を経てＡＯＢ＃２を指す。ＡＴＴ＃５は、ＡＴＳ＃１のＰＧＣ＃２を経てＶＴＳ＃１のＶＯＢ＃６のセル＃１を指す。従って、音声専用プレイヤーによれば、「曲Ａ」の後半部分、「曲Ｂ'」（高品質）、「曲Ｃ'」（高品質）および「曲Ｄ」の前半部分が再生される。「歌手インタビュー」と「曲Ａ」の前半部分および「曲Ｄ」の後半部分は再生されない。
【０２３５】
上述したように、本実施の形態によれば、音声再生に適したデータのみを選択的に再生することが可能である。すなわち、音声主体の再生モードにおいては、映像主体の再生モードでは再生されるユーザインタラクションを要求する選択メニューや、観客が退場する雑音等、タイトル制作者が映像と共に再生しないと意味がない判断する音声データの再生をカットすることができる。このようにして、タイトル制作者は、映像主体の再生モードにおいて最適な再生順序と音声主体の再生モードにおいて最適な再生順序のうち選択された再生順序に従ってタイトルを再生可能な光ディスクを提供することができる。
【０２３６】
また、本実施の形態によれば、ユーザは、音声主体の再生モードでは、映像主体の再生モードより高音質な音声を楽しみことができる。
【０２３７】
なお、本実施の形態においては、再生モードが映像主体の再生モードであるか音声主体の再生モードであるかは、再生開始時に決定されるものとした。しかし、再生モードは再生中に変更されてもよい。音声主体の再生モードで再生している途中で、再生モードが映像主体の再生モードに変更された場合には、再生モードの変更後も音声主体の再生モードにおいて最初に確定された再生順序を維持し、再生されるオブジェクトがＶＯＢである場合には映像と音声とを出力することとすればよい。この場合には、ＶＯＢの再生時に、システム制御部９３がＡＶデコーダ部８５にデコードメディア制限命令を出力することを禁止するようにすればよい。
【０２３８】
（実施の形態２）
以下、映像機能付きオーディオプレイヤーによる再生を説明する。映像機能付きオーディオプレイヤーの構成は、図１２に示されるＤＶＤプレイヤー１の構成と同様である。ただし、映像機能付きオーディオプレイヤーにおいては、再生処理が実行される前に、再生モードが映像主体の再生モードであるか音声主体の再生モードであるかが決定されることはない。映像機能付きオーディオプレイヤーは、音声専用のオーディオプレイヤーに映像表示機能を追加したプレイヤーとして位置づけられる。
【０２３９】
図１９は、映像機能付きオーディオプレイヤーによる再生処理の手順を示す。
【０２４０】
ステップＳ１９１では、光ディスクが映像機能付きオーディオプレイヤーに装填されているか否かが判定される。このような判定は、例えば、光学センサーからの信号に応じて行われる。
【０２４１】
光ディスクが映像機能付きオーディオプレイヤーに装填されていると判定された場合には、光ディスクの回転制御が行われ、光ピックアップがリードイン領域３１（図３）にシークさせる初期化動作が行われる。これにより、再生処理が開始される。
【０２４２】
ステップＳ１９２では、オーディオゾーン領域３２ｃ（図３）からオーディオマネージャ情報９００（図３）が読み出される。この読み出しは、ボリューム・ファイル管理領域３２ａ（図３）から読み出した情報に基づいて行われる。
【０２４３】
ステップＳ１９３では、オーディオマネージャ情報９００のオーディオタイトルサーチポインタテーブル９０２（図９）が参照される。
【０２４４】
ステップＳ１９４では、オーディオタイトルカテゴリ９３１のＡＯＴＴ／ＡＶＴＴフラグ９６１が読み出される。
【０２４５】
ステップＳ１９５では、ＡＯＴＴ／ＡＶＴＴフラグ９６１の値が判定される。
【０２４６】
ＡＯＴＴ／ＡＶＴＴフラグ９６１の値がＡＯＴＴを示す値である場合には処理はステップＳ１９６に進む。ＡＯＴＴ／ＡＶＴＴフラグ９６１の値がＡＶＴＴを示す値である場合には処理はステップＳ１９８に進む。
【０２４７】
ステップＳ１９６では、オーディオタイトルサーチポインタテーブル９０２内のＡＴＳ番号９３４とＡＴＳ内タイトル番号９３５とが取得される。
【０２４８】
ステップＳ１９７では、「音声主体の再生モードにおけるタイトルの再生」サブルーチン（図１４Ｂ）が呼び出される。このサブルーチンにおける再生処理の詳細は図１４Ｂを参照して既に説明したとおりである。
【０２４９】
ステップＳ１９８では、「映像主体の再生モードにおけるタイトルの再生」サブルーチン（図１３Ｂ）が呼び出される。このサブルーチンにおける再生処理の詳細は図１３Ｂを参照して既に説明したとおりである。
【０２５０】
このように、映像機能付きオーディオプレイヤーによる再生においては、ＡＯＴＴ／ＡＶＴＴフラグ９６１の値に応じて、音声主体の再生モードにおけるタイトルの再生と映像主体の再生モードにおけるタイトルの再生とが自動的に切り替えられる。
【０２５１】
ステップＳ１９９では、再生されるべき最後のタイトルであるか否かが判定される。ステップＳ１９９の判定が「Ｙｅｓ」の場合には再生処理が終了する。ステップＳ１９９の判定が「Ｎｏ」の場合には処理はステップＳ１９３に戻る。
【０２５２】
次に、図１８を参照して、映像機能付きオーディオプレイヤーによる再生の具体例を説明する。
【０２５３】
オーディオマネージャ（ＡＭＧ）のナビゲーション情報であるオーディオタイトルサーチポインタテーブル（ＡＴＴ＿ＳＲＰＴ）に従って、ＡＴＴ＃１、ＡＴＴ＃２、ＡＴＴ＃３、ＡＴＴ＃４、ＡＴＴ＃５がこの順に再生される。ＡＴＴ＃１、ＡＴＴ＃３、ＡＴＴ＃４、ＡＴＴ＃５は、オーディオオンリータイトルサーチポインタテーブル（ＡＯＴＴ＿ＳＲＰＴ）に従って再生される場合と同様に再生される。ＡＴＴ＃２には、ビデオマネージャ（ＶＭＧ）のタイトル＃２を再生するように記述されている。この結果、映像機能付きオーディオプレイヤーによれば、「曲Ａ」の後半部分、「曲Ｂ'」（高品質）、「曲Ｃ'」（高品質）および「曲Ｄ」の前半部分は音声のみで音声専用オーディオプレイヤーと同様に再生されるが、オーディオマネージャ（ＡＭＧ）の開始メニュー（ＶＯＢ＃１'）と「歌手インタビュー」とが映像付きで再生されることになる。
【０２５４】
オーディオタイトルサーチポインタテーブル（ＡＴＴ＿ＳＲＰＴ）とオーディオオンリータイトルサーチポインタテーブル（ＡＯＴＴ＿ＳＲＰＴ）との違いは、ＡＴＴ＿ＳＲＰＴのみが、ビデオゾーン領域のタイトルを指示することができるという点である。図１８に示される例では、ＡＴＴ＃２がビデオゾーン領域のタイトルを指示する。このような違いから、タイトルグループという概念が導入されている。タイトルグループ内では、タイトルは必ず連続再生されなければならない。
【０２５５】
図１８に示される例では、ＡＯＴＴ＿ＳＲＰＴには、タイトルグループとして、ＡＯＴＴ＿ＧＲ＃１とＡＯＴＴ＿ＧＲ＃２とが含まれる。ＡＯＴＴ＿ＧＲ＃１にはＡＴＴ＃１が属している。ＡＯＴＴ＿ＧＲ＃２にはＡＴＴ＃３、ＡＴＴ＃４、ＡＴＴ＃５が属している。ＡＴＴ＿ＳＲＰＴには、タイトルグループとして、ＡＴＴ＿ＧＲ＃１とＡＴＴ＿ＧＲ＃２とＡＴＴ＿ＧＲ＃３とが含まれる。ＡＴＴ＿ＧＲ＃１にはＡＴＴ＃１が属している。ＡＴＴ＿ＧＲ＃２にはＡＴＴ＃２が属している。ＡＴＴ＿ＧＲ＃３にはＡＴＴ＃３、ＡＴＴ＃４、ＡＴＴ＃５が属している。このような構成とすることで、映像機能付きオーディオプレイヤーと音声専用オーディオプレイヤーでの再生の順序、タイトル番号をなるべく一致させることができる。このことは、ユーザが再生の順序やタイトルを混同することを防止するのに役立つ。
【０２５６】
図２０Ａは、タイトルサーチポインタテーブル情報の具体例を示す。
【０２５７】
オーディオタイトルサーチポインタテーブル情報（ＡＴＴ＿ＳＲＰＴＩ）およびオーディオオンリータイトルサーチポインタテーブル情報（ＡＯＴＴ＿ＳＲＰＴＩ）には、ＡＴＴ＃１からＡＴＴ＃５までの５つのタイトルに関する管理情報が記述されている。
【０２５８】
ＡＴＴ＿ＳＲＰＴＩにおけるＡＴＴ＃２はビデオマネージャ（ＶＭＧ）のタイトル（ＶＴＳ＃１のＴＴ＃２）を指示する。従って、映像機能付きオーディオオプレイヤーによる再生時には、ＶＴＳ＃１のＴＴ＃２が再生される。
【０２５９】
一方、ＡＯＴＴ＿ＳＲＰＴＩにおけるＡＴＴ＃２に対応する管理情報の欄は空欄である。従って、音声専用のオーディオプレイヤーによる再生時にはＶＴＳ＃１のＴＴ＃２は再生されない。
【０２６０】
図２０Ｂは、ＡＯＢポイントタイプのＡＴＳ（ＡＴＳ＃２）のＡＴＳプログラムチェーン情報テーブル（ＡＴＳ＿ＰＧＣＩＴ）の具体例を示す。この例では、ＡＴＳプログラムチェーン情報テーブル（ＡＴＳ＿ＰＧＣＩＴ）には、２つのＡＴＳプログラムチェーン情報（ＡＴＳ＿ＰＧＣＩ＃１，ＡＴＳ＿ＰＧＣＩ＃２）が含まれている。ＡＴＳプログラムチェーン情報（ＡＴＳ＿ＰＧＣＩ＃１）は、１つのプログラムと１つのセルとを含み、ＡＯＢ＃１のセル＃１を指定している。ＡＴＳプログラムチェーン情報（ＡＴＳ＿ＰＧＣＩ＃２）は、１つのプログラムと１つのセルとを含み、ＡＯＢ＃２のセル＃１を指定している。
【０２６１】
図２０Ｃは、ＶＯＢポイントタイプのＡＴＳ（ＡＴＳ＃１）のＡＴＳプログラムチェーン情報テーブル（ＡＴＳ＿ＰＧＣＩＴ）の具体例を示す。この例では、ＡＴＳプログラムチェーン情報テーブル（ＡＴＳ＿ＰＧＣＩＴ）には、２つのＡＴＳプログラムチェーン情報（ＡＴＳ＿ＰＧＣＩ＃１，ＡＴＳ＿ＰＧＣＩ＃２）が含まれている。ＡＴＳプログラムチェーン情報（ＡＴＳ＿ＰＧＣＩ＃１）は、１つのプログラムと１つのセルとを含み、ＶＴＳ＃１のＶＯＢ＃２のセル＃２を指定している。ＡＴＳプログラムチェーン情報（ＡＴＳ＿ＰＧＣＩ＃２）は、１つのプログラムと１つのセルとを含み、ＶＴＳ＃１のＶＯＢ＃６のセル＃１を指定している。
【０２６２】
（実施の形態３）
以下、再生装置の音声再生能力に応じて、再生すべき音声情報を切り替えることが可能にする光ディスク、その再生装置および再生方法を説明する。
【０２６３】
本実施の形態の再生装置の構成は、図１２に示されるＤＶＤプレイヤー１の構成と同様である。ただし、本実施の形態の再生装置においては、再生処理が実行される前に、再生モードが映像主体の再生モードであるか音声主体の再生モードであるかが決定されることはない。本実施の形態の再生装置は音声専用のオーディオプレイヤーとして位置づけられる。
【０２６４】
光ディスクに格納されるデータ構造も、実施の形態１の光ディスクに格納されるデータ構造と同様である。
【０２６５】
図２１Ａは、光ディスクに格納されるデータの例を示す。
【０２６６】
ＡＯＢ＃１は、「曲Ａ」をＬＰＣＭ、サンプリング周波数４８ｋＨｚ、量子化ビット数１６ビット、チャンネル数２という音声属性に従って表現することによって得られる。
【０２６７】
ＡＯＢ＃２は、「曲Ｂ」をＬＰＣＭ、サンプリング周波数９６ｋＨｚ、量子化ビット数２４ビット、チャンネル数２という音声属性に従って表現することによって得られる。ＡＯＢ＃３は、ＡＯＢ＃２と同一の内容をＡＯＢ＃２とは異なる音声属性で表現したものである。すなわち、ＡＯＢ＃３は、「曲Ｂ」をＬＰＣＭ、サンプリング周波数４８ｋＨｚ、量子化ビット数１６ビット、チャンネル数２という音声属性に従って表現することによって得られる。
【０２６８】
ＡＯＢ＃４は、「曲Ｃ」をＬＰＣＭ、サンプリング周波数９６ｋＨｚ、量子化ビット数２４ビット、チャンネル数６という音声属性に従って表現することによって得られる。ＡＯＢ＃５は、ＡＯＢ＃４と同一の内容をＡＯＢ＃４とは異なる音声属性で表現したものである。すなわち、ＡＯＢ＃５は、「曲Ｃ」をＬＰＣＭ、サンプリング周波数９６ｋＨｚ、量子化ビット数２４ビット、チャンネル数２という音声属性に従って表現することによって得られる。
【０２６９】
ＡＯＢ＃６は、「曲Ｄ」をＬＰＣＭ、サンプリング周波数９６ｋＨｚ、量子化ビット数２４ビット、チャンネル数２という音声属性に従って表現することによって得られる。ＡＯＢ＃７は、ＡＯＢ＃６と同一の内容をＡＯＢ＃６とは異なる音声属性で表現したものである。すなわち、ＡＯＢ＃７は、「曲Ｄ」をＬＰＣＭ、サンプリング周波数４８ｋＨｚ、量子化ビット数１６ビット、チャンネル数６という音声属性に従って表現することによって得られる。
【０２７０】
ＶＯＢ＃１は、「曲Ｅ」を表す。ＶＯＢ＃１は、２本のオーディオストリーム（Ｓｔｒｅａｍ＃１，Ｓｔｒｅａｍ＃２）を有する。オーディオストリーム（Ｓｔｒｅａｍ＃１）は、ＤＴＳ、チャンネル数６という音声属性に従って表現されている。オーディオストリーム（Ｓｔｒｅａｍ＃２）は、ＬＰＣＭ、サンプリング周波数９６ｋＨｚ、量子化ビット数２４ビット、チャンネル数２という音声属性に従って表現されている。
【０２７１】
ＡＯＢ＃８は、「曲Ｆ」をＬＰＣＭ、サンプリング周波数４８ｋＨｚ、量子化ビット数１６ビット、チャンネル数２という音声属性に従って表現することによって得られる。
【０２７２】
このようなデータ構造は、再生装置が、それの音声再生能力に応じて、可能なかぎり高品質、高機能の音声を再生することを可能にする。例えば、ＬＰＣＭ、サンプリング周波数９６ｋＨｚ、チャンネル数６という音声再生能力を有する再生装置に図２１Ａのデータ構造を有する光ディスクを装填した場合と、ＬＰＣＭ、サンプリング周波数４８ｋＨｚ、ＤＴＳという音声再生能力を有する再生装置に図２１Ａのデータ構造を有する光ディスクを装填した場合とでは、異なる音声が再生される。
【０２７３】
図２１Ｂは、ＬＰＣＭ、サンプリング周波数９６ｋＨｚ、チャンネル数６という音声再生能力を有する再生装置を用いて図２１Ｂのデータを再生する場合の再生順序を示す。この場合、図２１Ｂに示されるように、ＡＯＢ＃１、ＡＯＢ＃２、ＡＯＢ＃４がこの順に再生される。その後、ＡＯＢ＃６およびＡＯＢ＃７の一方が再生される。ＡＯＢ＃６とＡＯＢ＃７のどちらが再生されるかは、品質を重視するかマルチチャンネルを重視するかに応じて予め決定されている。このような決定は、ユーザからの入力に応じて、または、再生装置自身の属性に応じてなされる。その後、ＶＯＢ＃１のＳｔｒｅａｍ＃２が再生され、ＡＯＢ＃８が再生される。このように、再生装置の音声再生能力を考慮して、できるかぎり、高品質、高機能の再生が行われる。
【０２７４】
図２１Ｃは、ＬＰＣＭ、サンプリング周波数４８ＫＨｚ、ＤＴＳという音声再生能力を有する再生装置を用いて図２１Ｂのデータを再生する場合の再生順序を示す。この場合、図２１Ｃに示されるように、ＡＯＢ＃１、ＡＯＢ＃３がこの順に再生される。ＡＯＢ＃４とＡＯＢ＃５は、どちらもサンプリング周波数が９６ｋＨｚである。従って、サンプリング周波数を４８ｋＨｚにダウンコンバートしてＡＯＢ＃５が再生される。その後、ＡＯＢ＃７、ＶＯＢ＃１のＳｔｒｅａｍ＃１、ＡＯＢ＃８が再生される。このように、再生装置の音声再生能力を考慮して、できるかぎり、高品質、高機能の再生が行われる。
【０２７５】
このような選択的な再生を行うために、ＰＧＣブロックというデータ構造が採用されている。
【０２７６】
図２２は、ＰＧＣブロックのデータ構造を示す。図２２に示される例では、ＡＴＳ＃１のＰＧＣ＃１とＰＧＣ＃２、ＡＴＳ＃２のＰＧＣ＃２とＰＧＣ＃３、ＡＴＳ＃２のＰＧＣ＃４とＰＧＣ＃５、ＡＴＳ＃２のＰＧＣ＃６とＰＧＣ＃７が、それぞれ、ＰＧＣブロックを構成している。また、再生の順序を示すオーディオタイトルサーチポインタテーブル（ＡＯＴＴ＿ＳＲＰＴ）にはＡＴＴ＃１からＡＴＴ＃６までが記述されている。同一のタイトルからＰＧＣブロック内の２つのＰＧＣがともに指示される。
【０２７７】
図２３Ａ〜図２３Ｅは、タイトルサーチポインタとＰＧＣ構成の具体例を示す。
【０２７８】
図２３Ａは、タイトルサーチポインタ（ＡＴＴ＿ＳＲＰＴ）の具体例を示す。ＡＴＴ＃１からＡＴＴ＃６までのそれぞれに対して、ＡＴＳ番号、ＡＴＳ内タイトル番号、ＡＴＴ内プログラム番号が記述されている。これらの記述から、ＡＴＴの指示するＰＧＣを知ることができる。これにより、再生すべきオブジェクトが特定される。
【０２７９】
図２３Ｂは、ＡＯＢポイントタイプのＡＴＳ（ＡＴＳ＃２）の具体例を示す。ＰＧＣ＃１からＰＧＣ＃８のそれぞれに対して、ＡＴＳ内タイトル番号、ブロックモード、ブロックタイプ、音声コード化モード、チャンネル数が記述されている。ＡＴＳ内タイトル番号は、タイトルサーチポインタによって指定される。ブロックモードは、ＰＧＣブロックのどの部分かを示す。ブロックモードには、ＰＧＣブロックでなければ‘０'、ブロックの最初のＰＧＣであれば‘１'、ブロックの最後のＰＧＣであれば‘３'が格納される。ブロックタイプは、ＰＧＣブロックを構成するＰＧＣの違いがどの程度であるかを示す。ブロックタイプには、ＰＧＣブロックでなければ‘０'、音声コード化モードが違う場合には‘１'、チャンネル数が違う場合には‘２'、音声コード化モードとチャンネル数のどちらも違う場合には‘３'が格納される。ブロックタイプを参照することにより、再生装置は自分の再生能力にあったストリームを簡単に知ることができる。なお、この例では、プログラム情報は省略されている。
【０２８０】
図２３Ｂに示される例では、ＰＧＣ＃２とＰＧＣ＃３とは、音声コード化モードが異なるブロックである。すなわち、ＰＧＣ＃２ではサンプリング周波数が９６ｋＨｚであるのに対し、ＰＧＣ＃３ではサンプリング周波数が４８ｋＨｚである。ＰＧＣ＃４とＰＧＣ＃５とは、チャンネル数が異なるブロックである。すなわち、ＰＧＣ＃４ではチャンネル数が６ｃｈであるのに対し、ＰＧＣ＃５ではチャンネル数が２ｃｈである。ＰＧＣ＃６とＰＧＣ＃７とが、音声コード化モードおよびチャンネル数の双方が異なるブロックである。すなわち、ＰＧＣ＃６ではサンプリング周波数が９６ｋＨｚであり、チャンネル数が２ｃｈであるのに対し、ＰＧＣ＃７ではサンプリング周波数が４８ｋＨｚであり、チャンネル数が６ｃｈである。
【０２８１】
図２３Ｃは、ＶＯＢポイントタイプのＡＴＳ（ＡＴＳ＃１）の具体例を示す。この例では、ＰＧＣ＃１とＰＧＣ＃２とは、音声コード化モードとチャンネルとが異なっている。すなわち、ＰＧＣ＃１では音声コード化モードがＤＴＳであり、チャンネル数が６ｃｈであるのに対し、ＰＧＣ＃２では音声コード化モードがＬＰＣＭであり、チャンネル数が２ｃｈである。
【０２８２】
図２３Ｄは、ＡＴＳ＃２のＡＴＳ管理テーブルのオーディオ属性を示し、図２３Ｅは、ＡＴＳ＃１のＡＴＳ管理テーブルのオーディオ属性を示す。
【０２８３】
図２４Ａおよび図２４Ｂは、再生装置の音声再生能力に応じて、再生すべき音声情報を切り替える再生処理の手順を示す。
【０２８４】
ＡＴＳ番号とＡＴＳ内タイトル番号とを取得するまでの手順は、図１４Ａに示される音声主体の再生モードにおける再生処理の手順と同一である。従って、ここではその説明を省略する。図１４ＡのステップＳ１６５において、図１４Ｂに示される「音声主体の再生モードにおけるタイトルの再生」サブルーチンが呼び出される代わりに、図２４Ａに示される「音声主体の再生モードにおけるタイトルの再生」サブルーチンが呼び出される。
【０２８５】
ステップＳ２４１では、指定されたＡＴＳ番号９５４に対応するオーディオタイトルセット８００からオーディオタイトルセット情報８０１（図８Ａ）が読み出される。さらに、様々な属性情報が読み出される（ステップＳ２４２、Ｓ２４３）。
【０２８６】
ステップＳ２４４では、ＡＴＳプログラムチェーン情報サーチポインタ８３２のＡＴＳ＿ＰＧＣカテゴリ８５１を検索することにより、指定されたＡＴＳ内タイトル番号９５５に一致するＡＴＳ内タイトル番号８７２を有するＡＴＳ＿ＰＧＣカテゴリ８５１が発見される。
【０２８７】
発見されたＡＴＳ＿ＰＧＣカテゴリ８５１のブロックタイプ８７４が０以外の場合には（ステップＳ２４５）、ＡＴＳプログラムチェーン情報８３３は、ＰＧＣブロック構造を有する。ＰＧＣブロックに含まれる２つのＡＴＳプログラムチェーン情報８３３のうち再生されるべき１つのＡＴＳプログラムチェーン情報８３３が選択される（ステップＳ２４６）。このような選択は、「ＰＧＣブロック中のＰＧＣの選択」サブルーチン（図２４Ｂ）によって実行される。
【０２８８】
その後、選択されたＡＴＳプログラムチェーン情報８３３が読み出され、再生装置の内部に保持される（ステップＳ２４７）。ＡＴＳプログラムチェーン情報８３３内のエントリ順序に従って再生すべきＡＴＳプログラム情報８６２が取得される（ステップＳ２４８）。
【０２８９】
ＡＴＳプログラム情報８６２に従ってプログラムが再生される。プログラムの再生では、ＡＴＳセル再生情報８６３が順次取得され（ステップＳ２４９）、セルによって指示されるオブジェクト（ＡＯＢまたはＶＯＢ）のアドレスが算出され（ステップＳ２５０）、そのアドレスに基づいてオブジェクトが再生される（ステップＳ２５１）。ステップＳ２４９〜Ｓ２５１は、再生されるべき最後のセルまで繰り返される。このようにして、最後のプログラムの再生が終われば、タイトル再生を終了する。
【０２９０】
図２４Ｂは、「ＰＧＣブロック中のＰＧＣの選択」サブルーチンの再生処理の手順を示す。
【０２９１】
ブロックの再生指定がない場合またはブロックの再生指定が最初のＰＧＣである場合には（ステップＳ２６１）、最初のＰＧＣが再生可能であるか否かが判定される（ステップＳ２６２）。
【０２９２】
ブロックタイプが１である場合には（ステップＳ２６４）、音声コード化モードが読み出され（ステップＳ２６５）、音声が再生可能か否かが判定される（ステップＳ２６６）。音声が再生可能である場合には、ステップＳ２６７およびＳ２６８を経てＰＧＣの選択を終わる。音声が再生可能でない場合には、次のＰＧＣが選択される（ステップＳ２６３）。
【０２９３】
ブロックタイプが２である場合には（ステップＳ２６９）、チャンネル数が読み出され（ステップＳ２７０）、音声が再生可能か否かが判定される（ステップＳ２７１）。音声が再生可能である場合には、ステップＳ２６７およびＳ２６８を経てＰＧＣの選択を終わる。音声が再生可能でない場合には、次のＰＧＣが選択される（ステップＳ２６３）。
【０２９４】
ブロックタイプが３である場合には（ステップＳ２７２）、音声コード化モードとチャンネル数とが読み出され（ステップＳ２７３）、音声が再生可能か否かが判定される（ステップＳ２７４）。音声が再生可能である場合には、ステップＳ２７５およびＳ２７６を経てＰＧＣの選択を終わる。音声が再生可能でない場合には、次のＰＧＣが選択される。
【０２９５】
なお、ブロックタイプが１、２、３のいずれでもなかった場合には、エラー処理を行う（ステップＳ２７９）。現在のＰＧＣが再生不可能であり、かつ、現在のＰＧＣがすでに最後のＰＧＣである場合には、再生可能なＰＧＣが存在しなかったとしてエラー処理を行う（ステップＳ２７８）。
【０２９６】
ユーザ操作あるいはコマンドに従って、ＰＧＣブロックに含まれる複数のＰＧＣにどれを再生すべきかを選択することができる。もちろん、ＰＧＣが再生されるためには再生装置がそのＰＧＣを再生する能力を有していることが必要とされる。この機能は、例えば、外付けのデコーダ、Ｄ／Ａコンバータなど、再生装置自身では再生能力が分からない場合に有効である。
【０２９７】
また、ＰＧＣブロックに含まれる複数のＰＧＣのいずれをも再生する能力を再生装置が有している場合には、最初のＰＧＣ（ＰＧＣ＃１）を再生するという方法と複数のＰＧＣのうちどれの再生を優先するかを示すフラグ（優先再生制御情報）を入れる方法がある。
【０２９８】
（実施の形態４）
１枚のディスクに映像主体のコンテンツと音声主体のコンテンツがある場合、あるいは、再生方法が異なるプレイヤーによって同一のディスクが再生される場合には、タイトル制作者は、再生環境を想定したいという要望を持っている。再生環境とは、例えば、映像を必ず再生したいとか、映像よりも音声を優先的に再生したいといったユーザの視聴形態を含む。再生方法が異なるプレイヤーとしては、映像主体に再生するビデオプレイヤー、音声主体に再生する音声専用オーディオプレイヤー、音声主体の再生だが映像も再生する映像機能付きのオーディオプレイヤーが挙げられる。
【０２９９】
タイトルを再生する場合に、作者の意図を正しく視聴者に伝えるために、このようにプレイヤーの種別あるいは周囲の条件に合わせ、再生状況を規定することができれば、タイトル製作者としては非常に好ましいことである。このことは、より質の高いタイトルの作成を促すことにつながる。本実施の形態では、そのようなタイトル製作を可能とするデータ構造、プレイヤーの動作を説明する。なお、基本的なデータ構造、プレイヤーの構成、プレイヤーの動作は実施の形態１のそれらと同一である。
【０３００】
１．音声専用オーディオプレイヤーでの再生を行わない場合（図２５参照）
【０３０１】
映像が必ず再生されることが望まれる場合には、音声専用オーディオプレイヤーで再生できないようにすればよい。これを実現するためには、例えば、図２５に示されるように、ＡＴＳが存在せずに、ＡＭＧのＡＴＴ＿ＳＲＰＴにはＶＴＳのタイトルを示すＡＴＳのみが存在するディスク構造を採用すればよい。このディスク構造によれば、音声専用オーディオプレイヤーはなにも再生できないのに対し、映像機能付きオーディオプレイヤーは、ナビゲーションコマンドなどを除き、ビデオプレイヤーと同様に映像付きで音声を再生することができる。この時の音声はビデオプレイヤー用で定められている範囲でかつオーディオプレイヤー用としてマンダトリである範囲となる。
【０３０２】
２．映像機能付きオーディオプレイヤーではビデオプレイヤーと同じ再生を行う場合（映像優先の再生）（図２６参照）
【０３０３】
音声専用オーディオプレイヤーでは音声のみの再生を許すが、映像機能付きオーディオプレイヤーでは映像を優先的に再生するようにすればよい。これを実現するためには、例えば、図２６に示されるように、ＶＯＢポイントタイプのＡＴＳのみが存在し、さらに、ＡＭＧのＡＴＴ＿ＳＲＰＴとＡＯＴＴ＿ＳＲＰＴには、ＶＯＢポイントタイプのＡＴＳのＰＧＣによりビデオゾーン領域のＶＯＢを指示するＡＴＴが存在し、ＡＴＴ＿ＳＲＰＴにはＶＴＳのタイトルを示すＡＴＳが最初に存在するディスク構造を採用すればよい。このディスク構造によれば、音声専用オーディオプレイヤーでも、ＡＯＴＴ＿ＳＲＰＴに従って、ビデオゾーン領域のＶＯＢの音声のみを再生することができる。映像機能付きオーディオプレイヤーは、映像付きでビデオゾーン領域のＶＯＢの音声を再生することができる。この時の音声はビデオプレイヤー用で定められている範囲でかつオーディオプレイヤー用としてマンダトリである範囲となる。
【０３０４】
３．映像機能付きオーディオプレイヤーではビデオプレイヤーと同一の品質の音声あるいはビデオプレイヤーより高品質の音声の再生を行う場合（図２７および図２８参照）
【０３０５】
音声専用オーディオプレイヤーは、ビデオプレイヤーより高品質の音声を再生することができる。映像機能付きオーディオプレイヤーは、ビデオプレイヤーと同一の品質の音声あるいはビデオプレイヤーより高音質の音声を選択的に再生可能なようにしてもよい。これを実現するためには、図２７および図２８に示されるように、ＡＯＢポイントタイプのＡＴＳが存在し、ＡＭＧのＡＴＴ＿ＳＲＰＴとＡＯＴＴ＿ＳＲＰＴにはＡＴＳのＰＧＣによりＡＯＢを指示するＡＴＴが存在し、ＡＴＴ＿ＳＲＰＴにはＶＴＳのタイトルを示すＡＴＳが存在するディスク構造を採用すればよい。このディスク構造によれば、音声専用オーディオプレイヤーは、ビデオプレイヤー用に定められた音声より高品質の音声を再生することができる。また、映像機能付きオーディオプレイヤーは、ビデオプレイヤーより高品質の音声を再生することも、ビデオプレイヤーと同じ品質の映像付き音声を再生することもできる。
【０３０６】
図２７の再生方法と図２８の再生方法の差は、映像機能付きオーディオプレイヤーが、映像付きの音声を優先的に再生するか、高品質の音声を優先的に再生するかのである。図２７の例では、映像付きの音声が高品質の音声よりもタイトルグループの小さい番号に対応している。図２８の例では、高品質の音声が映像付きの音声よりもタイトルグループの小さい番号に対応している。リモコン操作などでは、通常、タイトルグループ番号の順に再生されるため、番号の小さなタイトルグループが先に再生されることになる。もちろん、メニューを用いて、映像付きの音声と高音質の音声のどちらか一方を再生するようにすることも可能である。
【０３０７】
４．映像機能付きオーディオプレイヤーでは高品質の音声の再生を行う場合（図２９参照）
【０３０８】
音声専用オーディオプレイヤーも映像機能付きオーディオプレイヤーも高品質の音声を再生するようにしてもよい。これを実現するためには、図２９に示されるように、ＡＯＢポイントタイプのＡＴＳが存在し、ＡＭＧのＡＴＴ＿ＳＲＰＴとＡＯＴＴ＿ＳＲＰＴにはＡＴＳのＰＧＣによりＡＯＢを指示するＡＴＴが存在し、ビデオゾーン領域のＶＯＢはオーディオゾーン領域からまったく指示されないディスク構造を採用すればよい。このディスク構造によれば、音声専用オーディオプレイヤーも映像機能付きオーディオプレイヤーも高品質の音声のみを再生することができる。ビデオプレイヤーは映像付きの音声を再生することができる。
【０３０９】
５．ビデオプレイヤーでは再生を禁止する場合（図３０参照）
【０３１０】
ビデオプレイヤーでは再生を禁止するようにしてもよい。これを実現するには、図３０に示されるように、ビデオゾーン領域が存在しないディスク構造を採用すればよい。このディスク構造によれば、ビデオプレイヤーは、ビデオゾーン領域がないためにディスクを再生することができない。映像機能付きオーディオプレイヤーも音声専用オーディオプレイヤーも同じように高品質の音声を再生することができる。
【０３１１】
このように、データ構造を適切に選ぶことにより、タイトル製作者がビデオプレイヤー、映像機能付きオーディオプレイヤー、音声専用オーディオプレイヤーでの再生方法を指定することができる。また、プレイヤーにディスプレイが接続されているか否かや、映像の再生が許可されているか否かにより、ビデオプレイヤーとして振る舞うか、映像機能付き音声プレイヤーとして振る舞うか、音声専用オーディオプレイヤーとして振る舞うかを決定することにすれば、ディスク再生開始時あるいは、ディスク再生の途中でも、プレイヤー再生方法を変更することができる。
【０３１２】
（実施の形態５）
ビデオディスクの場合、メニューがあること、様々なプレイヤーの設定をコマンドで行う必要があることから、ディスク挿入時に自動的に実行されるコマンドを記述する領域としてＦｉｒｓｔ＿Ｐｌａｙ＿ＰＧＣというものが定義されていた。しかし、オーディオプレイヤーでは、必ずしもメニューが必須ではなく、ビデオの属性も必要がないために、再生開始前にコマンドで設定を行う必要がない。しかしながら、ＣＤのようにディスク挿入後、"Ｐｌａｙ"キーを押さないと再生開始しないのでは、ユーザに余計なアクションを要求することになり、不便である。以上のようなオーディオプレイヤーの特性に合った、自動実行のためのディスクのデータ構造とプレイヤーの再生方法を以下に説明する。
【０３１３】
基本的なデータ構造、プレイヤーの構成は実施の形態１と同じであるので、異なる部分について説明する。
【０３１４】
図３１は、オーディオマネージャ情報（ＡＭＧＩ）のデータ構造を示す。実施の形態１では詳細に説明しなかったオーディオマネージャ管理テーブル（ＡＭＧＩ＿ＭＡＴ）には、自動実行フラグ（ＡＰ＿ＩＮＦ）が含まれている。自動実行フラグの値が１であることは、タイトルグループ＃１のＡＴＴ＃１から再生が開始されるということを意味する。
【０３１５】
オーディオプレイヤーは、ディスクが挿入されると、オーディオマネージャを読み、様々な属性を設定する。初期設定終了後、オーディオプレイヤーは、自動実行フラグを読む。自動実行フラグの値が１である場合には、タイトルグループ＃１のＡＴＴ＃１から再生が開始される。すなわち、ユーザの何の操作も必要とせず、ディスクを入れた時に、すぐに音声再生が開始される。
【０３１６】
以上により、製作者の意図通りに再生をすることが実現できると共に、ディスクを挿入後、"Ｐｌａｙ"キーを押すという操作を省くことができる。
【０３１７】
【発明の効果】
本発明によれば、第１の音声属性に従って音声情報を表現することよって得られる第１のオーディオデータと、第１の音声属性とは異なる第２の音声属性に従ってその音声情報を表現することによって得られる第２のオーディオデータと、第１のオーディオデータおよび第２のオーディオデータのうちの一方を選択的に再生可能とするための管理情報とが格納された光ディスクが提供される。再生装置の音声再生能力と管理情報とに基づいて、第１のオーディオデータおよび第２のオーディオデータのうちの一方が再生される。これにより、再生装置の音声再生能力に見合った音声を再生することが可能になる。
【図面の簡単な説明】
【図１Ａ】本発明の実施の形態の光ディスクの外観図である。
【図１Ｂ】本発明の実施の形態の光ディスクの断面図である。
【図１Ｃ】本発明の実施の形態の光ディスクの拡大された断面図である。
【図１Ｄ】本発明の実施の形態の光ディスクに形成されるピットを示す図である。
【図２Ａ】本発明の実施の形態の光ディスクのトラック構造を示す図である。
【図２Ｂ】本発明の実施の形態の光ディスクのセクタ構造を示す図である。
【図３】本発明の実施の形態の光ディスクのデータ構造を示す図である。
【図４】本発明の実施の形態のビデオタイトルセットのデータ構造を示す図である。
【図５】本発明の実施の形態の映像メニューの表示形態を示す図である。
【図６】本発明の実施の形態のビデオタイトルセットのデータ構造を示す図である。
【図７】本発明の実施の形態のビデオマネージャのデータ構造を示す図である。
【図８Ａ】本発明の実施の形態のＡＯＢポイントタイプのオーディオタイトルセットのデータ構造を示す図である。
【図８Ｂ】本発明の実施の形態のＶＯＢポイントタイプのオーディオタイトルセットのデータ構造を示す図である。
【図８Ｃ】本発明の実施の形態のオーディオタイトルセットのＡＴＳ管理テーブルのＡＴＳアドレス情報のデータ構造を示す図である。
【図９】本発明の実施の形態のオーディオマネージャのデータ構造を示す図である。
【図１０】本発明の実施の形態のＤＶＤプレイヤーとそれに接続されるテレビ装置の外観を示す外観図である。
【図１１】本発明の実施の形態のリモコン装置の外観図である。
【図１２】本発明の実施の形態のディスク再生装置であるＤＶＤプレイヤーの構成を示すブロック図である。
【図１３Ａ】本発明の実施の形態の映像主体の再生モードにおける再生処理の手順を示すフローチャートである。
【図１３Ｂ】本発明の実施の形態の映像主体の再生モードにおけるタイトルの再生処理の手順を示すフローチャートである。
【図１４Ａ】本発明の実施の形態の音声主体の再生モードにおける再生処理の手順を示すフローチャートである。
【図１４Ｂ】本発明の実施の形態の音声主体の再生モードにおけるタイトル再生処理の手順を示すフローチャートである。
【図１５】本発明の実施の形態のビデオマネージャに格納される冒頭メニューの表示形態を示す図である。
【図１６Ａ】本発明の実施の形態のアプリケーションの構成の一例を示す図である。
【図１６Ｂ】本発明の実施の形態のディスク再生装置の動作を説明する図である。
【図１７】本発明の実施の形態の光ディスク上の各データの格納位置を示す図である。
【図１８】本発明の実施の形態の各再生情報とオブジェクトとの関連を模式的に示す図である。
【図１９】本発明の実施の形態の映像機能付きオーディオプレイヤーによる再生処理の手順を示すフローチャートである。
【図２０Ａ】本発明の実施の形態の光ディスクのオーディオマネージャ情報とビデオマネージャ情報のタイトルサーチポインタの具体例を示す図である。
【図２０Ｂ】本発明の実施の形態の光ディスクのＡＯＢポイントタイプのＡＴＳにおけるＰＧＣ構成の具体例を示す図である。
【図２０Ｃ】本発明の実施の形態の光ディスクのＶＯＢポイントタイプのＡＴＳのにおけるＰＧＣ構成の具体例を示す図である。
【図２１Ａ】本発明の実施の形態の光ディスクに格納されるデータの例を示す図である。
【図２１Ｂ】本発明の実施の形態の再生装置により再生する場合の再生順序を示す図である。
【図２１Ｃ】本発明の実施の形態の再生装置により再生する場合の再生順序を示す図である。
【図２２】本発明の実施の形態のＰＧＣブロックが存在する場合の各再生情報とオブジェクトの関連を模式的に示す図である。
【図２３Ａ】本発明の実施の形態のタイトルサーチポインタテーブルの具体例を示す図である。
【図２３Ｂ】本発明の実施の形態のＡＯＢポイントタイプのＡＴＳにおけるＰＧＣ構成の具体例を示す図である。
【図２３Ｃ】本発明の実施の形態のＶＯＢポイントタイプのＡＴＳにおけるＰＧＣ構成の具体例を示す図である。
【図２３Ｄ】本発明の実施の形態のＡＴＳ管理テーブルのオーディオ属性の具体例を示す図である。
【図２３Ｅ】本発明の実施の形態のＡＴＳ管理テーブルのオーディオ属性の具体例を示す図である。
【図２４Ａ】本発明の実施の形態のＰＧＣブロックが存在する場合の音声主体の再生モードにおけるタイトルの再生処理の手順を示すフローチャートである。
【図２４Ｂ】本発明の実施の形態のＰＧＣブロック中のＰＧＣの選択処理の手順を示すフローチャートである。
【図２５】本発明の実施の形態の各再生情報とオブジェクトとの関連を模式的に示す図である。
【図２６】本発明の実施の形態の各再生情報とオブジェクトとの関連を模式的に示す図である。
【図２７】本発明の実施の形態の各再生情報とオブジェクトとの関連を模式的に示す図である。
【図２８】本発明の実施の形態の各再生情報とオブジェクトとの関連を模式的に示す図である。
【図２９】本発明の実施の形態の各再生情報とオブジェクトとの関連を模式的に示す図である。
【図３０】本発明の実施の形態の各再生情報とオブジェクトとの関連を模式的に示す図である。
【図３１】本発明の実施の形態のディスク挿入時に自動再生を行うためのオーディオマネージャのデータ構造を示す図である。
【符号の説明】
１      ＤＶＤプレイヤー
２      テレビジョン装置
８１    モータ
８２    ピックアップ
８３    機構制御部
８４    信号処理部
８５    ＡＶデコーダ部
８６    システムデコーダ部
８７    ビデオデコーダ
８８    副映像デコーダ
８９    ＡＶデコーダ用オーディオデコーダ
９０    映像合成部
９１    リモコン装置
９２    リモコン受信部
９３    システム制御部
９４    オーディオデコーダ部
１００  ＤＶＤ光ディスク
１０８  第１の透明基盤
１０９  情報層
１１０  接着層
１１１  第２の透明基盤
１１２  印刷層
１１３  光ビーム
１１４  光スポット
【図１Ａ】
0004030711.tif 000002
【図１Ｂ】
0004030711.tif 000003
【図１Ｃ】
0004030711.tif 000004
【図１Ｄ】
0004030711.tif 000005
【図２Ａ】
0004030711.tif 000006
【図２Ｂ】
0004030711.tif 000007
【図３】
0004030711.tif 000008
【図４】
0004030711.tif 000009
【図５】
0004030711.tif 000010
【図６】
0004030711.tif 000011
【図７】
0004030711.tif 000012
【図８Ａ】
0004030711.tif 000013
【図８Ｂ】
0004030711.tif 000014
【図８Ｃ】
0004030711.tif 000015
【図９】
0004030711.tif 000016
【図１０】
0004030711.tif 000017
【図１１】
0004030711.tif 000018
【図１２】
0004030711.tif 000019
【図１３Ａ】
0004030711.tif 000020
【図１３Ｂ】
0004030711.tif 000021
【図１４Ａ】
0004030711.tif 000022
【図１４Ｂ】
0004030711.tif 000023
【図１５】
0004030711.tif 000024
【図１６Ａ】
0004030711.tif 000025
【図１６Ｂ】
0004030711.tif 000026
【図１７】
0004030711.tif 000027
【図１８】
0004030711.tif 000028
【図１９】
0004030711.tif 000029
【図２０Ａ】
0004030711.tif 000030
【図２０Ｂ】
0004030711.tif 000031
【図２０Ｃ】
0004030711.tif 000032
【図２１Ａ】
0004030711.tif 000033
【図２１Ｂ】
0004030711.tif 000034
【図２１Ｃ】
0004030711.tif 000035
【図２２】
0004030711.tif 000036
【図２３Ａ】
0004030711.tif 000037
【図２３Ｂ】
0004030711.tif 000038
【図２３Ｃ】
0004030711.tif 000039
【図２３Ｄ】
0004030711.tif 000040
【図２３Ｅ】
0004030711.tif 000041
【図２４Ａ】
0004030711.tif 000042
【図２４Ｂ】
0004030711.tif 000043
【図２５】
0004030711.tif 000044
【図２６】
0004030711.tif 000045
【図２７】
0004030711.tif 000046
【図２８】
0004030711.tif 000047
【図２９】
0004030711.tif 000048
【図３０】
0004030711.tif 000049
【図３１】
0004030711.tif 000050